(57)【特許請求の範囲】
【請求項１】
処理装置における処理条件を設定するための設定画面を表示装置に表示させる設定画面表示制御装置であって、
上記設定画面として、複数の設定項目のそれぞれに対応して設けられた第１設定用画像を配列した第１設定画面、および複数の設定項目のそれぞれに対応して設けられた第２設定用画像を配列した第２設定画面を表示させる設定画面表示手段と、
各第１設定用画像を識別する識別情報、および、当該第１設定用画像と同じ設定項目に対応する第２設定用画像の第２設定画面内における位置を示す位置情報を互いに対応付けて記憶するテーブル管理部と、
入力装置に入力された情報に従って１つの第１設定用画像を選択する選択手段と、
選択手段が選択した第１設定用画像の識別情報に対応する位置情報を上記テーブル管理部から読み出し、読み出した位置情報を表示装置に表示させる位置情報表示手段とを備えることを特徴とする設定画面表示制御装置。
【請求項２】
上記位置情報は、対応付けられた識別情報の第１設定用画像と同じ設定項目に対応する第２設定用画像を、他の第２設定用画像と異なる表示形式で表した第２設定画面を模写したイメージ画像データであることを特徴とする請求項１に記載の設定画面表示制御装置。
【請求項３】
上記位置情報表示手段は、選択手段が選択した第１設定用画像の識別情報に対応する位置情報が上記テーブル管理部にない場合、選択手段が選択した第１設定用画像と同一の設定項目に対応する第２設定用画像が第２設定画面に存在しない旨の通知画像を表示装置に表示させることを特徴とする請求項１に記載の設定画面表示制御装置。
【請求項４】
１つの第１設定用画像と同じ設定項目に対応する第２設定用画像が複数ある場合、上記テーブル管理部は、当該第１設定用画像の識別情報と、当該第２設定用画像に対応する複数の上記位置情報とを対応付けて記憶しており、
上記位置情報表示手段は、選択手段が選択した第１設定用画像の識別情報に対応する複数の位置情報を上記テーブル管理部から読み出した場合、読み出した複数の位置情報を順次表示させることを特徴とする請求項１に記載の設定画面表示制御装置。
【請求項５】
１つの第１設定用画像と同じ設定項目に対応する第２設定用画像が複数ある場合、上記テーブル管理部は、当該第１設定用画像を識別する識別情報と、当該第２設定用画像に対応する複数の上記位置情報、および、当該各位置情報の表示順序を示す順序情報とを対応付けて記憶しており、
上記位置情報表示手段は、選択手段が選択した第１設定用画像の識別情報に対応する複数の位置情報を上記テーブル管理部から読み出す場合、当該位置情報および当該位置情報に対応する上記順序情報を上記テーブル管理部から読み出し、読み出した各位置情報を該順序情報に従って順次表示させることを特徴とする請求項１に記載の設定画面表示制御装置。
【請求項６】
処理装置における処理条件を設定するための設定画面を表示装置に表示させる設定画面表示制御装置であって、
上記設定画面として、複数の設定項目のそれぞれに対応して設けられた第１設定用画像を配列した第１設定画面、および複数の設定項目のそれぞれに対応して設けられた第２設定用画像を配列した第２設定画面を表示させる設定画面表示手段と、
各第１設定用画像を識別する第１識別情報、および、当該第１設定用画像と同じ設定項目に対応する第２設定用画像を識別する第２識別情報を互いに対応付けて記憶するテーブル管理部と、
入力装置に入力された情報に従って１つの第１設定用画像を選択する選択手段と、
選択手段が選択した第１設定用画像の第１識別情報に対応する第２識別情報を上記テーブル管理部から読み出し、読み出した第２識別情報に対応する第２設定用画像に対して、他の第２設定用画像と異なる表示形式になるように変更処理を行う位置情報表示手段とを備えることを特徴とする設定画面表示制御装置。
【請求項７】
上記位置情報表示手段は、選択手段が選択した第１設定用画像の第１識別情報に対応する第２識別情報が上記テーブル管理部にない場合、選択手段が選択した第１設定用画像と同一の設定項目に対応する第２設定用画像が第２設定画面に存在しない旨の通知画像を表示装置に表示させることを特徴とする請求項６に記載の設定画面表示制御装置。
【請求項８】
１つの第１設定用画像と同じ設定項目に対応する第２設定用画像が複数ある場合、上記テーブル管理部は、当該第１設定用画像を識別する第１識別情報と、当該第２設定用画像を識別する複数の第２識別情報とを対応付けて記憶しており、
上記位置情報表示手段は、選択手段が選択した第１設定用画像の第１識別情報に対応する複数の第２識別情報を上記テーブル管理部から読み出した場合、読み出した第２識別情報に対応する複数の第２設定用画像に対して、上記変更処理を順次行うことを特徴とする請求項２に特徴とする請求項６に記載の設定画面表示制御装置。
【請求項９】
１つの第１設定用画像と同じ設定項目に対応する第２設定用画像が複数ある場合、上記テーブル管理部は、当該第１設定用画像の第１識別情報と、当該第２設定用画像を識別する複数の第２識別情報、および当該第２設定用画像の表示変更の順序を示す順序情報とを対応付けて記憶しており、
上記位置情報表示手段は、選択手段が選択した第１設定用画像を識別する第１識別情報に対応する複数の第２識別情報を上記テーブル管理部から読み出す場合、当該第２識別情報および当該第２識別情報に対応する上記順序情報を上記テーブル管理部から読み出し、読み出した第２識別情報に対応する複数の第２設定用画像に対して、読み出した順序情報に従って上記変更処理を順次行うことを特徴とする請求項６に記載の設定画面表示制御装置。
【請求項１０】
処理装置における処理条件を設定するための設定画面を表示装置に表示させる設定画面表示制御装置における設定画面表示制御方法であって、
上記設定画面として、複数の設定項目のそれぞれに対応して設けられた第１設定用画像を配列した第１設定画面、および複数の設定項目のそれぞれに対応して設けられた第２設定用画像を配列した第２設定画面があり、
上記設定画面表示制御装置は、各第１設定用画像を識別する識別情報と、当該第１設定用画像と同じ設定項目に対応する第２設定用画像の第２設定画面内における位置を示す位置情報とを対応付けて記憶するテーブル管理部を備え、
上記設定画面表示制御装置が備える選択手段が、入力装置に入力された情報に従って１つの第１設定用画像を選択する選択ステップと、
上記設定画面表示制御装置が備える位置情報表示手段が、上記選択手段が選択した第１設定用画像の識別情報に対応する位置情報を上記テーブル管理部から読み出し、読み出した位置情報を表示装置に表示させる位置情報表示ステップとを含むことを特徴とする設定画面表示制御方法。
【請求項１１】
処理装置における処理条件を設定するための設定画面を表示装置に表示させる設定画面表示制御装置における設定画面表示制御方法であって、
上記設定画面として、複数の設定項目のそれぞれに対応して設けられた第１設定用画像を配列した第１設定画面、および複数の設定項目のそれぞれに対応して設けられた第２設定用画像を配列した第２設定画面があり、
上記設定画面表示制御装置は、各第１設定用画像を識別する第１識別情報と、当該第１設定用画像と同じ設定項目に対応する第２設定用画像を識別する第２識別情報とを対応付けて記憶するテーブル管理部を備え、
上記設定画面表示制御装置が備える選択手段が、入力装置に入力された情報に従って１つの第１設定用画像を選択する選択ステップと、
上記設定画面表示制御装置が備える位置情報表示手段が、上記選択手段が選択した第１設定用画像の第１識別情報に対応する第２識別情報を上記テーブル管理部から読み出し、読み出した第２識別情報に対応する第２設定用画像に対して、他の第２設定用画像と異なる表示形式になるように変更処理を行う位置情報表示ステップとを含むことを特徴とする設定画面表示制御方法。
【請求項１２】
請求項１から９のいずれか１項に記載の設定画面表示制御装置を動作させる表示制御プログラムであって、コンピュータを上記の各手段として機能させるための設定画面表示制御プログラム。
【請求項１３】
請求項１２に記載の設定画面表示制御プログラムを記録したコンピュータ読み取り可能な記録媒体。
【発明の詳細な説明】
【技術分野】
【０００１】
本発明は、処理装置における処理条件の設定をユーザに促すための設定画面を表示装置に表示させる設定画面表示制御装置、設定画面表示制御方法、設定画面表示制御プログラムおよび記録媒体に関するものである。
【背景技術】
【０００２】
近年、アプリケーションが処理を行う際に設定する機能の数が増加する傾向にある。たとえば、文書を印刷する場合に利用するプリンタドライバのユーザーインターフェースは、プリンタドライバが多機能になるに伴い、設定項目が数多く存在している。熟練者は、このように数多くの設定項目が存在していても、その中から自分が必要とする設定項目を探し出し、所望の設定を行うことができる。一方、初心者は複雑な設定項目を必要とせず、利用する設定項目はごく限られた主要なもののみであることが多い。そのため、数多く存在する設定項目の中から、所望の機能項目を探し出すのは困難であった。
【０００３】
このような課題を解決するために、例えば特許文献１においては、複数の印刷機能の組み合わせを、ひとつのアイコンに関連付けて記憶させることで、複数の印刷機能の設定を容易に行なう方法が開示されている。
【０００４】
また、特許文献２においては、例えば、ユーザインターフェイスは、初級者ユーザを意識して簡単な設定項目で構成されている印刷条件の設定画面と、上級者ユーザを意識した詳細な設定項目で構成されている設定画面とを提供できるように構成されており、ユーザのレベルに応じた最適な設定画面を提供することが開示されている。
【０００５】
これにより、初級者には、主要な設定項目のみを表示する初級者向けのユーザーインターフェースを、熟練者には、全ての設定項目を表示する上級者向けのユーザーインターフェースを表示することが可能となっている。
【特許文献１】特開２００２−１８２８７１号公報（２００２年６月２８日公開）
【特許文献２】特開２００３−３１６５３９号公報（２００３年１１月７日公開）
【発明の開示】
【発明が解決しようとする課題】
【０００６】
上記従来の構成では、詳細な設定を行うための設定項目は、上級者向けの設定画面上にしか存在しない。このため、初級者が初級者向けの設定画面に存在しない設定項目を利用する場合には、上級者向けの設定画面を利用して設定を行う必要がある。しかしながら、上級者向けの設定画面は、初心者向けの設定画面とは全く画面構成が異なることが多い。そのため、初心者は、初心者向けの設定画面に存在している設定項目であっても、数多くの設定項目が存在している上級者向けの設定画面から、当該設定項目を探し出すことが困難であった。
【０００７】
つまり、複数の設定画を表示可能である場合において、その中の一つを通常用いているユーザは、他の設定画面を利用する際に、所望の設定項目の設定に時間や手間が必要となっていた。
【０００８】
本発明では、このような事情を鑑みてなされたものであり、複数の設定画面を表示可能であって、一方の設定画面を通常使用しているユーザが、当該設定画面に存在する設定項目の他方の設定画面における位置を容易に認識することができる設定画面表示制御装置、設定画面表示制御方法、設定画面表示制御プログラムおよび記録媒体を実現することにある。
【課題を解決するための手段】
【０００９】
本発明の設定画面制御装置は、上記の課題を解決するために、処理装置における処理条件を設定するための設定画面を表示装置に表示させる設定画面表示制御装置であって、上記設定画面として、複数の設定項目のそれぞれに対応して設けられた第１設定用画像を配列した第１設定画面、および複数の設定項目のそれぞれに対応して設けられた第２設定用画像を配列した第２設定画面を表示させる設定画面表示手段と、各第１設定用画像を識別する識別情報、および、当該第１設定用画像と同じ設定項目に対応する第２設定用画像の第２設定画面内における位置を示す位置情報を互いに対応付けて記憶するテーブル管理部と、入力装置に入力された情報に従って１つの第１設定用画像を選択する選択手段と、選択手段が選択した第１設定用画像の識別情報に対応する位置情報を上記テーブル管理部から読み出し、読み出した位置情報を表示装置に表示させる位置情報表示手段とを備えることを特徴としている。
【００１０】
また、本発明の設定画面表示制御方法は、処理装置における処理条件を設定するための設定画面を表示装置に表示させる設定画面表示制御装置における設定画面表示制御方法であって、上記設定画面として、複数の設定項目のそれぞれに対応して設けられた第１設定用画像を配列した第１設定画面、および複数の設定項目のそれぞれに対応して設けられた第２設定用画像を配列した第２設定画面があり、上記設定画面表示制御装置は、各第１設定用画像を識別する識別情報と、当該第１設定用画像と同じ設定項目に対応する第２設定用画像の第２設定画面内における位置を示す位置情報とを対応付けて記憶するテーブル管理部を備え、上記設定画面表示制御装置が備える選択手段が、入力装置に入力された情報に従って１つの第１設定用画像を選択する選択ステップと、上記設定画面表示制御装置が備える位置情報表示手段が、上記選択手段が選択した第１設定用画像の識別情報に対応する位置情報を上記テーブル管理部から読み出し、読み出した位置情報を表示装置に表示させる位置情報表示ステップとを含むことを特徴とする。
【００１１】
上記の構成によれば、設定画面として、第１設定画面および第２設定画面が表示されるため、ユーザは、自分の嗜好や処理装置に対する習熟度に応じて、いずれか一方の設定画面を選択し、選択した設定画面を用いて処理条件の詳細な設定項目の設定を行うことができる。
【００１２】
そして、選択手段が入力装置に入力された情報に従って１つの第１設定用画像を選択し、位置情報表示手段が選択された第１設定用画像の識別情報に対応する位置情報を表示させる。よって、ユーザは、入力装置に対して、ある第１設定用画像の選択指示を入力することで、当該第１設定用画像に対応する第２設定用画像の第２設定画面における位置を確認することができる。
【００１３】
ここで、位置情報は、上記テーブル管理部が記憶するものであり、選択手段が選択した第１設定用画像と同じ設定項目に対応する第２設定用画像の第２設定画面内における位置を示すものである。そのため、ユーザは、選択した第１設定用画像と同じ設定項目を設定するための第２設定用画像が、第２設定画面のどの位置に存在するかを容易に認識することができる。
【００１４】
なお、上記の構成の場合、ユーザは、位置情報を確認するだけで、選択した第１設定用画像に対応する第２設定用画像の第２設定画面における位置を確認することができる。そのため、設定画面表示制御装置は、第１設定画面とともに、第２設定画面を表示する必要がない。
【００１５】
さらに、本発明の設定画面表示制御装置は、上記の構成に加えて、上記位置情報は、対応付けられた識別情報の第１設定用画像と同じ設定項目に対応する第２設定用画像を、他の第２設定用画像と異なる表示形式で表した第２設定画面を模写したイメージ画像データであることが好ましい。
【００１６】
上記の構成によれば、ユーザは、選択手段が選択した第１設定用画像と同じ設定項目に対応する第２設定用画像を他の第２設定用画像を区別可能にした第２設定画面を模写したイメージ画像を見ることができる。これにより、ユーザは、当該イメージ画像から、実際の第２設定画面において、選択手段が選択した第１設定用画像に対応する第２設定用画像がどこの表示されているかを容易に認識することができる。
【００１７】
さらに、本発明の設定画面表示制御装置は、上記の構成に加えて、上記位置情報表示手段は、選択手段が選択した第１設定用画像の識別情報に対応する位置情報が上記テーブル管理部にない場合、選択手段が選択した第１設定用画像と同一の設定項目に対応する第２設定用画像が第２設定画面に存在しない旨の通知画像を表示装置に表示させることが好ましい。
【００１８】
第１設定画面および第２設定画面の画面構成によっては、ある設定項目に対応する第１設定用画像が第１設定画面に存在するが、当該設定項目に対応する第２設定用画像が第２設定画面に存在しない場合がある。例えば、第１設定画面が熟練者向けの設定画面であり、第２設定画面が初級者向けの設定画面とする。この場合、初級者が利用することのない設定項目については、第１設定画面にのみ対応する第１設定用画像を配列させ、第２設定画面には対応する第２設定用画像を配列させない。
【００１９】
上記の構成によれば、このような場合であっても、位置情報表示手段は、選択手段が選択した第１設定用画像の識別情報に対応する位置情報が上記テーブル管理部にない場合、選択手段が選択した第１設定用画像と同一の設定項目に対応する第２設定用画像が第２設定画面に存在しない旨の通知画像を表示装置に表示させる。これにより、ユーザは、選択手段が選択した第１設定用画像と同じ設定項目を、第２設定画面では設定できないことを認識することができる。
【００２０】
さらに、本発明の設定画面表示制御装置は、上記の構成に加えて、１つの第１設定用画像と同じ設定項目に対応する第２設定用画像が複数ある場合、上記テーブル管理部は、当該第１設定用画像の識別情報と、当該第２設定用画像に対応する複数の上記位置情報とを対応付けて記憶しており、上記位置情報表示手段は、選択手段が選択した第１設定用画像の識別情報に対応する複数の位置情報を上記テーブル管理部から読み出した場合、読み出した複数の位置情報を順次表示させることが好ましい。
【００２１】
第１設定画面および第２設定画面の画面構成によっては、ある第１設定用画像と同じ設定項目の設定を促す第２設定用画像が複数存在する場合がある。すなわち、第１設定画面では、複数の設定項目を纏めて１つの第１設定用画像とし、第２設定画面では、当該複数の設定項目の各々に対して別々の第２設定用画像を配列させる場合である。例えば、処理装置がプリンタである場合、第１設定画面では、設定項目「中とじ」「ステープル」を纏めた１つの第１設定用画像を表示し、第２設定画面では、設定項目「中とじ」に対応する第２設定用画像と設定項目「ステープル」に対応する第２設定用画像とを別々に表示させる。
【００２２】
上記の構成によれば、このような場合であっても、テーブル管理部は、第１設定用画像の識別情報と、第２設定用画像に対応する複数の位置情報とを対応付けて記憶している。そして、位置情報表示手段は、テーブル管理部から読み出した複数の位置情報を順次表示させる。これにより、ユーザは、選択手段が選択した第１設定用画像と同じ設定項目に対応する第２設定用画像が複数あっても、１つずつ当該第２設定用画像の位置を確認することができる。その結果、ユーザは、第２設定画面においても、選択手段が選択した第１設定用画像と同じ設定項目について、漏らすことなく全てを設定することができる。
【００２３】
さらに、本発明の設定画面表示制御装置は、上記の構成に加えて、１つの第１設定用画像と同じ設定項目に対応する第２設定用画像が複数ある場合、上記テーブル管理部は、当該第１設定用画像を識別する識別情報と、当該第２設定用画像に対応する複数の上記位置情報、および、当該各位置情報の表示順序を示す順序情報とを対応付けて記憶しており、上記位置情報表示手段は、選択手段が選択した第１設定用画像の識別情報に対応する複数の位置情報を上記テーブル管理部から読み出す場合、当該位置情報および当該位置情報に対応する上記順序情報を上記テーブル管理部から読み出し、読み出した各位置情報を該順序情報に従って順次表示させることが好ましい。
【００２４】
複数の設定項目を設定する場合、設定する順序が異なると、正常に設定することができない場合がある。例えば、設定項目Ａを設定した後でなければ、設定項目Ｂを設定できない場合がある。このような場合、ユーザは、先に設定項目Ｂを設定しようとしてもできない。
【００２５】
しかしながら、上記の構成によれば、ある第１設定用画像と同じ設定項目に対応する第２設定用画像が複数ある場合、テーブル管理部は、当該第１設定用画像を識別する識別情報と、当該第２設定用画像に対応する複数の上記位置情報、および、当該各位置情報の表示順序を示す順序情報とを対応付けて記憶する。そのため、テーブル管理部は、順序情報として、当該複数の第２設定用画像に対応する設定項目を正常に設定することができる順序を記憶することができる。
【００２６】
そして、位置情報表示手段は、テーブル管理部から読み出した各位置情報を該順序情報に従って順次表示させる。これにより、第１設定画面を通常使用しているユーザは、表示された順序で第２設定用画像により設定を行うことで、第２設定画面でも正常に設定を行うことができる。
【００２７】
また、本発明の設定画面表示制御装置は、処理装置における処理条件を設定するための設定画面を表示装置に表示させる設定画面表示制御装置であって、上記設定画面として、複数の設定項目のそれぞれに対応して設けられた第１設定用画像を配列した第１設定画面、および複数の設定項目のそれぞれに対応して設けられた第２設定用画像を配列した第２設定画面を表示させる設定画面表示手段と、各第１設定用画像を識別する第１識別情報、および、当該第１設定用画像と同じ設定項目に対応する第２設定用画像を識別する第２識別情報を互いに対応付けて記憶するテーブル管理部と、入力装置に入力された情報に従って１つの第１設定用画像を選択する選択手段と、選択手段が選択した第１設定用画像の第１識別情報に対応する第２識別情報を上記テーブル管理部から読み出し、読み出した第２識別情報に対応する第２設定用画像に対して、他の第２設定用画像と異なる表示形式になるように変更処理を行う位置情報表示手段とを備えることを特徴としている。
【００２８】
また、本発明の設定画面表示制御方法は、処理装置における処理条件を設定するための設定画面を表示装置に表示させる設定画面表示制御装置における設定画面表示制御方法であって、上記設定画面として、複数の設定項目のそれぞれに対応して設けられた第１設定用画像を配列した第１設定画面、および複数の設定項目のそれぞれに対応して設けられた第２設定用画像を配列した第２設定画面があり、上記設定画面表示制御装置は、各第１設定用画像を識別する第１識別情報と、当該第１設定用画像と同じ設定項目に対応する第２設定用画像を識別する第２識別情報とを対応付けて記憶するテーブル管理部を備え、上記設定画面表示制御装置が備える選択手段が、入力装置に入力された情報に従って１つの第１設定用画像を選択する選択ステップと、上記設定画面表示制御装置が備える位置情報表示手段が、上記選択手段が選択した第１設定用画像の第１識別情報に対応する第２識別情報を上記テーブル管理部から読み出し、読み出した第２識別情報に対応する第２設定用画像に対して、他の第２設定用画像と異なる表示形式になるように変更処理を行う位置情報表示ステップとを含むことを特徴とする。
【００２９】
上記の構成によれば、設定画面として、第１設定画面および第２設定画面が表示されるため、ユーザは、自分の嗜好や処理装置に対する習熟度に応じて、いずれか一方の設定画面を選択し、選択した設定画面を用いて処理条件の詳細な設定項目の設定を行うことができる。
【００３０】
そして、選択手段が入力装置に入力された情報に従って１つの第１設定用画像を選択し、位置情報表示手段が選択された第１設定用画像の第１識別情報に対応する第２識別情報をテーブル管理部から読み出し、読み出した第２識別情報に対応する第２設定用画像を、他の第２設定用画像と異なる表示形式になるように変更処理を行う。
【００３１】
ここで、異なる表示形式になるような変更処理とは、例えば、他の第２設定用画像が全て点灯している場合、点滅させる処理や、他の第２設定用画像とは異なる色を着色する処理、他の第２設定用画像とは異なる輝度になるように輝度を変更する処理（例えば輝度の反転処理）などである。
【００３２】
これにより、ユーザは、入力装置に対して、ある第１設定用画像の選択指示を入力することで、当該第１設定用画像と同じ設定項目に対応する第２設定用画像の位置を、第２設定画面内で容易に認識することができる。
【００３３】
さらに、本発明の設定画面表示制御装置は、上記の構成に加えて、上記位置情報表示手段は、選択手段が選択した第１設定用画像の第１識別情報に対応する第２識別情報が上記テーブル管理部にない場合、選択手段が選択した第１設定用画像と同一の設定項目に対応する第２設定用画像が第２設定画面に存在しない旨の通知画像を表示装置に表示させることが好ましい。
【００３４】
上述したように、ある設定項目に対応する第１設定用画像が第１設定画面に存在するが、当該設定項目に対応する第２設定用画像が第２設定画面に存在しない場合がある。上記の構成によれば、このような場合であっても、位置情報表示手段は、選択手段が選択した第１設定用画像の第１識別情報に対応する第２識別情報がテーブル管理部にない場合、選択手段が選択した第１設定用画像と同一の設定項目に対応する第２設定用画像が第２設定画面に存在しない旨の通知画像を表示装置に表示させる。これにより、ユーザは、選択手段が選択した第１設定用画像と同じ設定項目を、第２設定画面では設定できないことを認識することができる。
【００３５】
さらに、本発明の設定画面表示制御装置は、上記の構成に加えて、１つの第１設定用画像と同じ設定項目に対応する第２設定用画像が複数ある場合、上記テーブル管理部は、当該第１設定用画像を識別する第１識別情報と、当該第２設定用画像を識別する複数の第２識別情報とを対応付けて記憶しており、上記位置情報表示手段は、選択手段が選択した第１設定用画像の第１識別情報に対応する複数の第２識別情報を上記テーブル管理部から読み出した場合、読み出した第２識別情報に対応する複数の第２設定用画像に対して、上記変更処理を順次行うことが好ましい。
【００３６】
上述したように、ある第１設定用画像と同じ設定項目の設定を促す第２設定用画像が複数存在する場合がある。上記の構成によれば、このような場合であっても、テーブル管理部は、第１設定用画像の識別情報と、複数の第２識別情報とを対応付けて記憶している。そして、位置情報表示手段は、第２設定画面において、テーブル管理部から読み出した複数の第２識別情報に対応する複数の第２設定用画像を順次表示変更させる。これにより、ユーザは、選択手段が選択した第１設定用画像と同じ設定項目に対応する第２設定用画像が複数あっても、１つずつ当該第２設定用画像の位置を確認することができる。その結果、ユーザは、第２設定画面においても、選択手段が選択した第１設定用画像と同じ設定項目について、漏らすことなく全てを設定することができる。
【００３７】
さらに、本発明の設定画面表示制御装置は、上記の構成に加えて、１つの第１設定用画像と同じ設定項目に対応する第２設定用画像が複数ある場合、上記テーブル管理部は、当該第１設定用画像の第１識別情報と、当該第２設定用画像を識別する複数の第２識別情報、および当該第２設定用画像の表示変更の順序を示す順序情報とを対応付けて記憶しており、上記位置情報表示手段は、選択手段が選択した第１設定用画像を識別する第１識別情報に対応する複数の第２識別情報を上記テーブル管理部から読み出す場合、当該第２識別情報および当該第２識別情報に対応する上記順序情報を上記テーブル管理部から読み出し、読み出した順序情報に従って上記変更処理を順次行うことが好ましい。
【００３８】
上記の構成によれば、テーブル管理部は、順序情報として、当該複数の第２設定用画像に対応する設定項目を正常に設定することができる順序を記憶することができる。そして、位置情報表示手段は、テーブル管理部から読み出した各位置情報を該順序情報に従って順次表示させる。これにより、第１設定画面を通常使用しているユーザは、表示された順序で第２設定用画像により設定を行うことで、第２設定画面でも正常に設定を行うことができる。
【００３９】
なお、上記機能設定装置は、コンピュータによって実現してもよく、この場合には、コンピュータを上記各手段として動作させることにより機能設定装置をコンピュータにて実現させる機能設定プログラム、およびそれを記録したコンピュータ読み取り可能な記録媒体も、本発明の範疇に入る。
【発明の効果】
【００４０】
本発明の設定画面制御装置は、以上のように、設定画面として、各設定項目の設定をユーザに促すための複数の第１設定用画像が配列された第１設定画面、および、各設定項目の設定をユーザに促すための複数の第２設定用画像が配列された第２設定画面を表示させる設定画面表示手段と、各第１設定用画像を識別する識別情報と、当該第１設定用画像と同じ設定項目に対応する第２設定用画像の第２設定画面内における位置を示す位置情報とを対応付けて記憶するテーブル管理部と、入力装置に入力された情報に従って１つの第１設定用画像を選択する選択手段と、選択手段が選択した第１設定用画像の識別情報に対応する位置情報を上記テーブル管理部から読み出し、読み出した位置情報を表示装置に表示させる位置情報表示手段とを備える。
【００４１】
それゆえ、ユーザは、選択した第１設定用画像と同じ設定項目を設定するための第２設定用画像が、第２設定画面のどの位置に存在するかを容易に認識することができる。
【発明を実施するための最良の形態】
【００４２】
本発明は、複数の設定項目の中から選択した少なくとも１つの設定項目を利用して処理を実行する処理装置に対して、処理を実行する際に利用する設定項目の設定を行うインターフェイスを備えた情報処理装置に係るものである。本発明に係る情報処理装置が設定する設定項目は、例えば、プリンタにおける印刷処理や、各種のアプリケーション（文書作成ソフトや画像編集ソフトなど）における情報処理、製造装置に対する制御処理などに関するものである。なお、以下では、本発明の実施形態として、プリンタにおける印刷処理に関する複数の設定項目の設定を行うインターフェイスを具体例として説明するが、本発明はこれに限られるものではない。
【００４３】
〔実施形態１〕
本発明の一実施形態について図１ないし図１３に基づいて説明すると以下の通りである。
【００４４】
（プリントシステムの全体構成）
図１は、本実施形態に係るプリントシステムの構成を示すブロック図である。図１で示されるように、本実施形態のプリントシステムは、例えばパーソナルコンピュータであるホスト装置（設定画面表示制御装置）１、プリンタ（処理装置）２、表示装置３および入力装置４を備えている。
【００４５】
ホスト装置１は、文書作成ソフトや画像編集ソフト等で作成された画像に対応する印刷データおよび該印刷データを印刷する際の処理命令を生成し、生成した印刷データおよび処理命令を含む印刷ジョブをプリンタ２に出力する。プリンタ２は、ホスト装置１から受けた印刷ジョブに応じた画像を用紙等の記録媒体に形成し、該記録媒体を排出する。なお、ホスト装置１とプリンタ２とは、ＵＳＢ等のケーブルで接続されている。
【００４６】
表示装置３は、例えば液晶ディスプレイであり、ホスト装置１の制御に従った画像を表示する。また、入力装置４は、例えばマウスおよびキーボードであり、ユーザによって入力された信号をホスト装置１に出力する。
【００４７】
（ホスト装置の構成）
図１に示されるように、ホスト装置１は、アプリケーション部１１とプリンタドライバ部１２とを備えている。なお、ホスト装置１は、図示しないオペレーティングシステム（ＯＳ）を備えており、該オペレーティングシステムを介して、各ブロック間のデータや指示のやり取りが実現されている。
【００４８】
アプリケーション部１１は、文書作成ソフト、表計算ソフト、画像編集ソフト等に従った処理を行い、文書、表、画像などを作成する。なお、以下では、アプリケーション部１１は、文書作成ソフトに従って文書データを作成するものとする。
【００４９】
さらに、アプリケーション部１１は、入力装置４から印刷設定指示を受けると、プリンタドライバ部１２を起動させるとともに、印刷設定指示のあった文書データをプリンタドライバ部１２に出力する。
【００５０】
プリンタドライバ部１２は、プリンタ２に対応したプリンタドライバであり、アプリケーション部１１から出力された文書データをプリンタ２に適した印刷データに加工するとともに、プリンタ２が印刷処理を実行する際の処理命令を生成し、該印刷データおよび処理命令を含む印刷ジョブをプリンタ２に出力する。
【００５１】
プリンタドライバ部１２は、設定項目の選択および選択された設定項目の詳細内容の入力（設定）をユーザに促すための設定用画像を設定項目ごとに配列した設定画面を表示装置３に表示させ、設定画面上のポインタを用いたユーザからの入力情報を受けて、印刷処理に用いる少なくとも一つの設定項目の詳細内容の設定を行う。
【００５２】
また、プリンタドライバ部１２は、ユーザの嗜好または印刷処理に対する習熟度に応じた複数の設定画面（本実施形態では初心者用設定画面（第１設定画面（または第２設定画面））および熟練者用設定画面（第２設定画面（または第１設定画面）））を表示することができる。
【００５３】
なお、後述するように、プリンタドライバ部１２は、複数の設定項目の各々に対応して設けられた設定用画像として、クリックされることで当該設定項目の詳細内容の入力を促すダイアログボックスを表示するための設定用アイコン（第１設定用画像または第２設定用画像）を配列した初心者用設定画面を表示する。また、プリンタドライバ部１２は、複数の設定項目の各々に対応して設けられた設定用画像として、設定項目名を示す項目名通知画像（熟練者向け設定用画像（第１設定用画像または第２設定用画像））、および、設定項目の利用の有無ならびに詳細内容の入力を促すボックス等の設定入力用画像（熟練者向け設定用画像（第１設定用画像または第２設定用画像））が配列された熟練者用設定画面を表示するものとする。
【００５４】
なお、初心者用設定画面上に配列される各設定用アイコンは、初心者用設定画面用に予め定められたものである。同様に、熟練者用設定画面上に配列される各熟練者向け設定用画像は、熟練者用設定画面用に予め定められたものである。
【００５５】
ある設定用アイコンとある熟練者向け設定用画像とが同じ設定項目に対応する場合もあれば、ある設定項目に対応する設定用アイコンが初心者用設定画面に存在するが、当該設定項目に対応する熟練者向け設定用画像が熟練者用設定画面に存在しない、もしくは、ある設定項目に対応する熟練者向け設定用画像が熟練者用設定画面に存在するが、当該設定項目に対応する設定用アイコンが初心者用設定画面に存在しない場合もある。また、ある設定用アイコンと同じ設定項目の設定を促す熟練者向け設定用画像が複数存在する、もしくは、ある熟練者向け設定用画像と同じ設定項目の設定を促す設定用アイコンが複数存在する場合もある。
【００５６】
図１に示されるように、プリンタドライバ部１２は、画面切替部１３と、第１画面処理部１４と、第２画面処理部１５と、設定情報格納部１６と、印刷要求部１７とを備えている。
【００５７】
また、第１画面処理部１４は、設定画面管理テーブル記憶部４１と、設定画面表示処理部（設定画面表示手段）４２と、他画面対応位置情報記憶部（テーブル管理部）４３と、対応位置情報表示処理部（位置情報表示手段）４４と、設定処理部４５とを備えている。
【００５８】
同様に、第２画面処理部１５は、設定画面管理テーブル記憶部５１と、設定画面表示処理部（設定画面表示手段）５２と、他画面対応位置情報記憶部（テーブル管理部）５３と、対応位置情報表示処理部（位置情報表示手段）５４と、設定処理部５５とを備えている。
【００５９】
画面切替部１３は、入力された画面の切替指示を入力装置４から取得し、取得した切替指示に応じて、表示装置３に表示させる設定画面を初心者用設定画面および熟練者用設定画面のいずれかに切り替えるものである。画面切替部１３は、表示装置３に表示させる画面がどちらであるのかを示す画面情報を、第１画面処理部１４および第２画面処理部１５に出力する。すなわち、画面切替部１３は、初心者用設定画面に切り替える場合、「初心者」を示す画面情報を出力し、熟練者用設定画面に切り替える場合、「熟練者」を示す画面情報を出力する。
【００６０】
第１画面処理部１４は、初心者用設定画面に関する処理を行うものである。なお、第１画面処理部１４は、画面切替部１３から受けた画面情報が「初心者」を示している場合に動作する。また、第２画面処理部１５は、熟練者用設定画面に関する処理を行うものである。なお、第２画面処理部１５は、画面切替部１３から受けた画面情報が「熟練者」を示している場合に動作する。以下、第１画面処理部１４および第２画面処理部１５に含まれる各構成について説明する。
【００６１】
第１画面処理部１４の設定画面管理テーブル記憶部４１は、初心者用設定画面を生成するためのデータを記憶するものである。具体的には、設定画面管理テーブル記憶部４１は、図２に示されるように、各設定項目について、当該設定項目の名称（設定項目名）と、当該設定項目の設定を行うための設定用アイコンの画像データ（設定用アイコン画像データ）と、当該設定用アイコンを識別するための第１管理番号とを対応付けた管理テーブルを記憶する。
【００６２】
なお、設定用アイコンは、対応する設定項目を用いて印刷処理を行ったときの印刷結果を示す画像である。
【００６３】
第１画面処理部１４の設定画面表示処理部４２は、初心者用設定画面を表示装置３に表示する処理を行うものである。具体的には、設定画面表示処理部４２は、設定画面管理テーブル記憶部４１が記憶する管理テーブルから読み出した設定項目名および設定用アイコンを、第１管理番号順に予め定められた間隔で配列した初心者用設定画面を生成し、表示装置３に表示させる。
【００６４】
また、設定画面表示処理部４２は、初心者用設定画面を生成する際、図１３（ａ）に示されるような、第１管理番号と、該第１管理番号に対応する設定用アイコンの表示領域を示す表示領域情報とを対応付けた表示領域テーブルを生成し、生成した表示領域テーブルを対応位置情報表示処理部４４に出力する。
【００６５】
図３は、設定画面表示処理部４２が表示させる初心者用設定画面の一例を示す図である。図３に示されるように、設定画面表示処理部４２は、設定画面管理テーブル記憶部４１が記憶する設定用アイコン画像データに対応した設定用アイコンＩ−１，…を所定間隔で配列した初心者用設定画面を表示する。
【００６６】
また、第１画面処理部１４の設定処理部４５は、ユーザが初心者用設定画面を利用して入力装置４に入力した情報に従って、印刷処理を行う際の利用する設定項目およびその詳細内容を示す設定情報を生成し、生成した設定情報を設定情報格納部１６に格納するものである。具体的には、設定処理部４５は、表示装置３に表示された設定用アイコンＩ−１，…（図３参照）がクリックされたことを入力装置４を用いて検知し、クリックされた設定用アイコンに対応する設定項目の詳細内容の入力を促すダイアログボックスを表示装置３に表示する。そして、設定処理部４５は、入力装置４に入力された情報に従って、設定情報を生成する。
【００６７】
一方、第２画面処理部１５の設定画面管理テーブル記憶部５１は、熟練者用設定画面を生成するためのデータを記憶するものである。具体的には、設定画面管理テーブル記憶部５１は、図４に示されるように、各設定項目について、当該設定項目の名称（設定項目名）と、当該設定項目を設定するための熟練者向け設定用画像（項目名通知画像や設定入力用画像）の種類と、該熟練者向け設定用画像の端部（例えば左上端部）の位置を示す表示位置と、該熟練者向け設定用画像のサイズと、該熟練者向け設定用画像を識別するための第２管理番号とを対応付けた管理テーブルを記憶している。
【００６８】
図４に示されるように、設定画面管理テーブル記憶部５１は、熟練者向け設定用画像の種類として、設定項目名を表示する場合のテキスト（Text）やグループ（Group）、矢印ボタンによって値の増減が可能なスピンボックス（spin box）、グループに属する複数の詳細内容の中から一つだけ選択可能なラジオボタン（radio button）、複数の候補の中から一つを選択可能なドロップダウンリスト（dropdown list）、オン／オフを切り替えるためのチェックボックス（check box）などを記憶している。
【００６９】
第２画面処理部１５の設定画面表示処理部５２は、熟練者用設定画面を表示装置３に表示する処理を行うものである。具体的には、設定画面表示処理部５２は、設定画面管理テーブル記憶部５１が記憶する管理テーブルに含まれる全ての第２管理番号について、対応する種類に従って熟練者向け設定用画像を生成する。そして、設定画面表示処理部５２は、第２管理番号に対応する表示位置およびサイズに従って、生成した熟練者向け設定用画像を配列した熟練者用設定画面を生成し、生成した熟練者用設定画面を表示装置３に表示させる。
【００７０】
また、設定画面表示処理部５２は、熟練者用設定画面を生成する際、設定画面管理テーブル記憶部５１が記憶する表示位置およびサイズを用いて、図１３（ｂ）に示されるような、第２管理番号と、該第２管理番号に対応する熟練者向け設定用画像の表示領域を示す表示領域情報（表示位置及びサイズ）とを対応付けた表示領域テーブルを生成し、生成した表示領域テーブルを対応位置情報表示処理部５４に出力する。
【００７１】
図５は、設定画面表示処理部５２が表示させる熟練者用設定画面の一例を示す図である。図に示されるように、設定画面表示処理部５２は、設定画面管理テーブル記憶部５１が記憶する各第２管理番号について、当該第２管理番号に対応する表示位置が示す箇所に、当該第２管理番号に対応する種類の熟練者向け設定用画像Ｇ−１，…を、当該第２管理番号に対応するサイズで配列した熟練者用設定画面を表示する。
【００７２】
また、第２画面処理部１５の設定処理部５５は、熟練者向け設定用画像を利用してユーザが入力装置４に入力した情報に従って、印刷処理を行う際の利用する設定項目およびその詳細内容を示す設定情報を生成し、生成した設定情報を設定情報格納部１６に格納するものである。
【００７３】
第１画面処理部１４の他画面対応位置情報記憶部４３は、初心者用設定画面の各設定用アイコンを識別する上記第１管理番号と、当該設定用アイコンと同じ設定項目に対応する熟練者向け設定用画像の熟練者用設定画面における位置を示す他画面位置情報（位置情報）とを対応付けた対応テーブルを記憶するものである。
【００７４】
本実施形態では、他画面対応位置情報記憶部４３は、他画面位置情報として、設定用アイコンと同じ設定項目に対応する熟練者向け設定用画像を他の熟練者向け設定用画像と異なる色で区別した熟練者用設定画面を模写した対応位置通知画像（イメージ画像）を記憶している。
【００７５】
図６は、他画面対応位置情報記憶部４３が記憶する対応テーブルの一例を示す図である。図６に示されるように、他画面対応位置情報記憶部４３は、ある設定項目（例えば「Ｎ−ｕｐ印刷」）について、当該設定項目を設定するための設定用アイコンを識別する上記第１管理番号（例えば、「Ａ００２」）と、当該設定項目に対応する熟練者向け設定用画像を他の熟練者向け設定用画像と異なる色で区別した熟練者用設定画面を模写した対応位置通知画像とを対応付けて記憶している。
【００７６】
なお、他画面対応位置情報記憶部４３は、第１管理番号に対応付けて、当該第１管理番号で識別される設定用アイコンと同じ設定項目に対応する熟練者向け設定用画像を識別する第２管理番号を記憶しているが、本実施形態では必ずしも第２管理番号を記憶していなくてもよい。
【００７７】
また、第１管理番号で識別される設定用アイコンと同じ設定項目に対応する熟練者向け設定用画像が存在しない場合、他画面対応位置情報記憶部４３は、当該第１管理番号と、第２管理番号および対応位置通知画像「なし」とを対応付けた対応テーブルを記憶する。
【００７８】
また、ある熟練者向け設定用画像と同じ設定項目の設定を促す設定用アイコンが複数存在する場合、他画面対応位置情報記憶部４３は、これら複数の設定用アイコンを識別する第１管理番号と、当該熟練者向け設定用画像を識別する第２管理番号、および、当該熟練者向け設定用画像の位置を示す対応位置通知画像とを対応付けた対応テーブルを記憶すればよい。
【００７９】
第１画面処理部１４の対応位置情報表示処理部４４は、入力指示に従って１つの設定用アイコンを選択し、選択した設定用アイコンと同じ設定項目に対応する熟練者向け設定用画像の熟練者用設定画面における位置を示す他画面位置情報を表示装置３に表示させる処理を行うものである。つまり、対応位置情報表示処理部４４は、入力指示に従って１つの設定用アイコンを選択する選択手段と、選択した設定用アイコンと同じ設定項目に対応する熟練者向け設定用画像の熟練者用設定画面における位置を示す他画面位置情報を表示装置３に表示させる位置情報表示手段とからなる。
【００８０】
具体的には、対応位置情報表示処理部４４は、設定画面表示処理部４２から受けた表示領域テーブルを参照して、ポインタの位置に表示されている設定用アイコンに対応する第１管理番号を特定する。さらに、対応位置情報表示処理部４４は、特定した第１管理番号に対応する対応位置通知画像を他画面対応位置情報記憶部４３から読み出し、読み出した対応位置通知画像を表示装置３にポップアップ表示させる。
【００８１】
一方、第２画面処理部１５の他画面対応位置情報記憶部５３は、熟練者用設定画面の各熟練者向け設定用画像を識別する上記第２管理番号と、当該熟練者向け設定用画像と同じ設定項目に対応する設定用アイコンの初心者用設定画面における位置を示す他画面位置情報とを対応付けた対応テーブルを記憶するものである。
【００８２】
本実施形態では、他画面対応位置情報記憶部５３は、他画面位置情報として、熟練者向け設定用画像と同じ設定項目に対応する設定用アイコンを他の設定用アイコンと異なる色で区別した初心者用設定画面を模写した対応位置通知画像（イメージ画像）を記憶している。
【００８３】
図７は、他画面対応位置情報記憶部５３が記憶する対応テーブルの一例を示す図である。図７に示されるように、他画面対応位置情報記憶部５３は、ある設定項目（例えば、「両面印刷（横とじ）」）について、当該設定項目を設定するための熟練者向け設定用画像を識別するための上記第２管理番号（例えば、「Ｂ００５」）と、当該設定項目に対応する設定用アイコンを他の設定用アイコンと異なる色で区別した初心者用設定画面を模写した対応位置通知画像とを対応付けて記憶している。
【００８４】
なお、他画面対応位置情報記憶部５３は、第２管理番号に対応付けて、当該第２管理番号で識別される熟練者向け設定用画像と同じ設定項目に対応する設定用アイコンを識別する第１管理番号を記憶しているが、本実施形態では必ずしも第１管理番号を記憶していなくてもよい。
【００８５】
また、第２管理番号で識別される熟練者向け設定用画像と同じ設定項目に対応する設定用アイコンが存在しない場合、他画面対応位置情報記憶部５３は、図７で示されるように、当該第２管理番号と、第１管理番号および対応位置通知画像「なし」とを対応付けた対応位置情報を記憶する。
【００８６】
また、ある設定用アイコンと同じ設定項目の設定を促す熟練者向け設定用画像が複数存在する場合、他画面対応位置情報記憶部５３は、図７で示されるように、複数の第２管理番号と一つの第１管理番号および対応位置通知画像とを対応付けた対応位置情報を記憶する。
【００８７】
第２画面処理部１５の対応位置情報表示処理部５４は、熟練者用設定画面から入力指示に従って１つの熟練者向け設定用画像を選択し、選択した熟練者向け設定用画像と同じ設定項目に対応する設定用アイコンの初心者用設定画面における位置を示す他画面位置情報を表示装置３に表示させる処理を行うものである。つまり、対応位置情報表示処理部５４は、入力指示に従って１つの熟練者向け設定用画像ンを選択する選択手段と、選択した熟練者向け設定用画像と同じ設定項目に対応する設定用アイコンの初心者用設定画面における位置を示す他画面位置情報を表示装置３に表示させる位置情報表示手段とからなる。
【００８８】
具体的には、対応位置情報表示処理部５４は、設定画面表示処理部５２から受けた表示領域テーブルを参照して、ポインタの位置に表示されている熟練者向け設定用画像に対応する第２管理番号を特定する。さらに、対応位置情報表示処理部５４は、特定した第２管理番号に対応する対応位置通知画像を他画面対応位置情報記憶部５３から読み出し、読み出した対応位置通知画像を表示装置３にポップアップ表示させる。
【００８９】
設定情報格納部１６は、上記設定処理部４５・５５によって設定された設定項目およびその詳細内容を示す設定情報を管理するものである。
【００９０】
印刷要求部１７は、入力装置４に入力された印刷処理開始指示を検知して、アプリケーション部１１から受けた文書データをプリンタ２に適した印刷データに加工するとともに、設定情報格納部１６が記憶する設定情報に応じた処理命令を生成し、該印刷データおよび処理命令を含む印刷ジョブをプリンタ２に出力するものである。
【００９１】
（プリンタドライバ部の処理全体の流れ）
次に、プリンタドライバ部１２における処理全体の概要について、図８のフローチャートを参照しながら説明する。
【００９２】
まず、プリンタドライバ部１２は、アプリケーション部１１から受けた起動指示により起動すると、初期設定で定められた設定画面を表示する（Ｓ１）。
【００９３】
具体的には、プリンタドライバ部１２が起動すると、画面切替部１３は、初期設定として定められた画面情報を第１画面処理部１４および第２画面処理部１５に出力する。なお、画面情報は「初心者」および「熟練者」のいずれかを示すものである。画面情報の初期設定は、ユーザによって変更可能である。これにより、ユーザは、自分の嗜好や印刷処理の習熟度に応じて、設定画面を選択することができる。
【００９４】
そして、画面情報に応じて動作する設定画面表示処理部４２もしくは設定画面表示処理部５２は設定画面を表示する。つまり、画面情報が「初心者」を示す場合、設定画面表示処理部４２は、設定画面管理テーブル記憶部４１が記憶する管理テーブルに基づいて初心者用設定画面を生成し、生成した初心者用設定画面を表示装置３に表示させる。一方、画面情報が「熟練者」を示す場合、設定画面表示処理部５２は、設定画面管理テーブル記憶部５１が記憶する管理テーブルに基づいて熟練者用設定画面を生成し、生成した熟練者用設定画面を表示装置３に表示させる。
【００９５】
なお、プリンタドライバ部１２が起動した際、設定情報格納部１６は、初期設定として定められた設定情報を格納している。
【００９６】
続いて、画面切替部１３からの画面情報に応じて動作している第１画面処理部１４の対応位置情報表示処理部４４または第２画面処理部１５の対応位置情報表示処理部５４は、設定画面内に表示された設定用画像にポインタが重ねられたか否かを判断する（Ｓ２）。
【００９７】
すなわち、画面情報が「初心者」を示す場合、対応位置情報表示処理部４４は、設定画面表示処理部４２から表示領域テーブルを取得し、取得した表示領域テーブルを参照して、ポインタの位置が初心者用設定画面のいずれかの設定用アイコンの表示領域に含まれるか否かを判断する。
【００９８】
また、画面情報が「熟練者」を示す場合、対応位置情報表示処理部５４は、設定画面表示処理部５２から表示領域テーブルを取得し、取得した表示領域テーブルを参照して、ポインタの位置が熟練者用設定画面のいずれかの熟練者向け設定用画像（ここでは、項目名通知画像および設定入力用画像）の表示領域に含まれるか否かを判断する。
【００９９】
ポインタがいずれの設定用画像にも重ねられていない場合（Ｓ２でＮｏ）、Ｓ４の処理に移行する。
【０１００】
一方、ポインタがいずれかの設定用画像に重ねられた場合（Ｓ２でＹｅｓ）、対応位置情報の表示処理を行い（Ｓ３）、Ｓ４の処理に移行する。なお、該対応位置情報の表示処理の流れの詳細については、後述する。
【０１０１】
次に、画面切替部１３は、入力装置４に設定画面の切替指示が入力されたか否かを判断する（Ｓ４）。
【０１０２】
切替指示が入力された場合（Ｓ４でＹｅｓ）、画面切替部１３は、切替指示に応じて、第１画面処理部１４および第２画面処理部１５に対して出力する画面情報を切り替える。そして、画面情報に応じて、第１画面処理部１４の設定画面表示処理部４２または第２画面処理部１５の設定画面表示処理部５２は、上記Ｓ１と同様に、設定画面を表示し（Ｓ５）、Ｓ６の処理に移行する。また、切替指示が入力されない場合（Ｓ４でＮｏ）にも、Ｓ６の処理に移行する。
【０１０３】
次に、画面情報に応じて動作している第１画面処理部１４の設定処理部４５または第２画面処理部１５の設定処理部５５は、入力装置４に設定項目の設定指示が入力されたか否かを判断する（Ｓ６）。
【０１０４】
すなわち、画面情報が「初心者」を示している場合、設定処理部４５は、初心者用設定画面上のいずれかの設定用アイコンがクリックされたか否かを判断し、クリックされた場合、設定項目の設定指示が入力されたと判断する。
【０１０５】
また、画面情報が「熟練者」を示している場合、設定処理部５５は、熟練者用設定画面上のいずれかの熟練者向け設定用画像に何らかの入力がされたか否かを判断し、入力された場合、設定項目の設定指示が入力されたと判断する。
【０１０６】
入力装置４に設定項目の設定指示が入力された場合（Ｓ６でＹｅｓ）、設定処理部４５または設定処理部５５は、入力された情報に従って、印刷処理の際に利用する設定項目とその詳細内容を示す設定情報を生成し、生成した設定情報により設定情報格納部１６が格納する情報を更新する（Ｓ７）。その後、Ｓ８の処理に移行する。一方、設定指示が入力されない場合にも（Ｓ６でＮｏ）、Ｓ８の処理に移行する。
【０１０７】
次に、印刷要求部１７は、設定画面内の印刷開始ボタン（図３および図５に示すＯＫボタン２０）がクリックされたか否かを判断する（Ｓ８）。
【０１０８】
印刷開始ボタンがクリックされない場合（Ｓ８でＮｏ）、上記Ｓ２の処理に戻る。
【０１０９】
一方、印刷開始ボタンがクリックされた場合（Ｓ８でＹｅｓ）、印刷要求部１７は、設定情報格納部１６から設定情報を取得し、取得した設定情報に従った処理命令を生成する。また、印刷要求部１７は、アプリケーション部１１から受けた文書データをプリンタ２に適した印刷データに加工する。そして、印刷要求部１７は、生成した印刷データおよび処理命令を含む印刷ジョブをプリンタ２に出力する（Ｓ９）。その後、処理を終了する。
【０１１０】
（対応位置情報の表示処理の流れ）
次に、対応位置情報の表示処理の流れの概要について、図９のフローチャートを参照しながら説明する。
【０１１１】
まず、画面情報に応じて動作している対応位置情報表示処理部４４または対応位置情報表示処理部５４は、ポインタが合わされた設定用画像を識別するための管理番号を取得する（Ｓ１１）。
【０１１２】
具体的には、画面情報が「初心者」である場合、対応位置情報表示処理部４４は、設定画面表示処理部４２から取得した表示領域テーブルの中から、ポインタの位置を含む表示領域情報に対応する第１管理番号を読み出す。
【０１１３】
また、画面情報が「熟練者」である場合、対応位置情報表示処理部５４は、設定画面表示処理部５２から取得した表示領域テーブルの中から、ポインタの位置を含む表示領域情報に対応する第２管理番号を読み出す。
【０１１４】
次に、画面情報に応じて動作している対応位置情報表示処理部４４または対応位置情報表示処理部５４は、他画面対応位置情報記憶部４３または５３が記憶する対応テーブルを参照して、Ｓ１１で取得した管理番号に対応する対応位置通知画像が存在するか否かを判断する（Ｓ１２）。
【０１１５】
具体的には、画面情報が「初心者」である場合、対応位置情報表示処理部４４は、他画面対応位置情報記憶部４３が記憶する対応テーブルにおいて、Ｓ１１で読み出した第１管理番号に対応する対応位置通知画像が「なし」であるか否かに応じて、対応位置通知画像が存在するか否かを判断する。
【０１１６】
また、画面情報が「熟練者」である場合、対応位置情報表示処理部５４は、他画面対応位置情報記憶部５３が記憶する対応テーブルにおいて、Ｓ１１で読み出した第２管理番号に対応する対応位置通知画像が「なし」であるか否かに応じて、対応位置通知画像が存在するか否かを判断する。
【０１１７】
対応位置通知画像が存在しない場合（Ｓ１２でＮｏ）、対応位置情報表示処理部４４・５４は、他の設定画面には対応する設定用画像が存在しない旨の通知を表示させ（Ｓ１３）、その後処理を終了する。例えば、対応位置情報表示処理部５４は、図１０に示されるように、簡易表示形式（ここでは、初心者用設定画面のことを示している）には指定された設定項目の設定用画像が存在しない旨を表示させる。
【０１１８】
一方、対応位置通知画像が存在する場合（Ｓ１２でＹｅｓ）、画面情報に応じて動作している対応位置情報表示処理部４４または対応位置情報表示処理部５４は、Ｓ１１で取得した管理番号に対応する対応位置通知画像を取得する（Ｓ１４）。
【０１１９】
具体的には、画面情報が「初心者」である場合、対応位置情報表示処理部４４は、Ｓ１１で取得した第１管理番号に対応する対応位置通知画像を他画面対応位置情報記憶部４３から読み出す。一方、画面情報が「熟練者」である場合、対応位置情報表示処理部５４は、Ｓ１１で取得した第２管理番号に対応する対応位置通知画像を他画面対応位置情報記憶部５３から読み出す。
【０１２０】
その後、対応位置通知画像を取得した対応位置情報表示処理部４４または対応位置情報表示処理部５４は、取得した対応位置通知画像を表示装置３にポップアップ表示させる（Ｓ１５）。その後、処理を終了する。
【０１２１】
（対応位置通知画像の表示例）
図１１は、初心者用設定画面が表示されているときに対応位置通知画像が表示されたときの画面例である。なお、図１１では、設定項目「両面印刷」の設定用アイコンにポインタＰが重ねられた場合の例である。
【０１２２】
このとき、対応位置情報表示処理部４４は、上記Ｓ１１において、設定画面表示処理部４２から取得した表示領域テーブルから、ポインタＰが合わされた設定用アイコンを識別する第１管理番号「Ａ００１」を読み出す。さらに、対応位置情報表示処理部４４は、上記Ｓ１３において、第１管理番号「Ａ００１」に対応する対応位置通知画像を図６に示す対応テーブルから読み出す。そして、対応位置情報表示処理部４４は、図１１に示されるように、読み出した対応位置通知画像Ｍを表示させる。
【０１２３】
これにより、ユーザは、初心者用設定画面で設定可能な設定項目「両面印刷」を熟練者用設定画面で設定する際に、どの位置に表示された熟練者向け設定用画像を用いればよいかを容易に認識することができる。
【０１２４】
また、図１２は、熟練者用設定画面が表示されているときに対応位置通知画像が表示されたときの画面例である。なお、図１２では、設定項目「両面印刷（横とじ）」を設定するための熟練者向け設定用画像にポインタＰが重ねられた場合の例である。
【０１２５】
このとき、対応位置情報表示処理部５４は、上記Ｓ１１において、設定画面表示処理部４２から取得した表示領域テーブルから、ポインタＰが重ねられた熟練者向け設定用画像を識別する第２管理番号「Ｂ００５」を読み出す。さらに、対応位置情報表示処理部５４は、上記Ｓ１３において、第２管理番号「Ｂ００５」に対応する対応位置通知画像を図７に示す対応テーブルから読み出す。そして、対応位置情報表示処理部５４は、図１２に示されるように、読み出した対応位置通知画像Ｍを表示させる。
【０１２６】
これにより、ユーザは、熟練者用設定画面で設定可能な設定項目「両面印刷（横とじ）」を初心者用設定画面で設定する際に、どの位置に表示された設定用アイコンを用いればよいかを容易に認識することができる。
【０１２７】
以上のように、本実施形態のホスト装置１は、プリンタ２における印刷処理条件の設定をユーザに促すための設定画面を表示装置３に表示させる設定画面表示制御装置である。そして、ホスト装置１は、上記設定画面として、複数の設定項目の各々に対応して設けられた設定用アイコンが配列された初心者用設定画面、および、複数の設定項目の各々に対応して設けられた熟練者向け設定用画像が配列された熟練者用設定画面を表示させる設定画面表示処理部４２・５２を備える。これにより、ユーザは、自分の嗜好やプリンタ２に対する習熟度に応じて、いずれか一方の設定画面を選択し、選択した設定画面を用いて印刷処理条件の詳細な設定項目の設定を行うことができる。
【０１２８】
さらに、ホスト装置１は、各設定用アイコンを識別する第１識別情報と、当該設定用アイコンと同じ設定項目に対応する熟練者向け設定用画像の熟練者用設定画面内における位置を示す対応位置情報とを対応付けて記憶する他画面対応位置情報記憶部４３と、入力装置４に入力された情報に従って１つの設定用アイコンを選択し、選択した設定用アイコンの第１識別情報に対応する対応位置情報を他画面対応位置情報記憶部４３から読み出し、読み出した位置情報を表示装置３に表示させる対応位置情報表示処理部４４とを備える。
【０１２９】
よって、ユーザは、入力装置４に対して、ある設定用アイコンの選択指示を入力することで、当該設定用アイコンと同じ設定項目に対応する熟練者向け設定用画像が、熟練者用設定画面内のどの位置に存在するかを容易に認識することができる。
【０１３０】
加えて、ホスト装置１は、熟練者向け設定用画像を識別する第２識別情報と、熟練者向け設定用画像と同じ設定項目に対応する設定用アイコンの初心者用設定画面内における位置を示す対応位置情報とを対応付けて記憶する他画面対応位置情報記憶部５３と、入力装置４に入力された情報に従って１つの熟練者向け設定用画像を選択し、選択した熟練者向け設定用画像の第２識別情報に対応する対応位置情報を他画面対応位置情報記憶部５３から読み出し、読み出した対応位置情報を表示装置３に表示させる対応位置情報表示処理部５４とを備える。
【０１３１】
よって、ユーザは、入力装置４に対して、ある熟練者向け設定用画像の選択指示を入力することで、当該熟練者向け設定用画像と同じ設定項目に対応する設定用アイコンが、初心者用設定画面内のどの位置に存在するかを容易に認識することができる。
【０１３２】
上記対応位置情報としては、設定用アイコンや熟練者向け設定用画像の位置を文字で表した情報（例えば、「左から２つ目の設定用アイコン」を示す情報）であってもよい。
【０１３３】
ただし、他画面対応位置情報記憶部４３が記憶する対応位置情報は、上述したように、設定用アイコンと同じ設定項目に対応する熟練者向け設定用画像が他の熟練者向け設定用画像と異なる表示形式（例えば、色や輝度など）で表された熟練者用設定画面を模写した位置情報通知画像の画像データ（イメージ画像データ）であることが好ましい。そして、他画面対応位置情報記憶部５３が記憶する対応位置情報は、上述したように、熟練者向け設定用画像と同じ設定項目に対応する設定用アイコンが他の設定用アイコンと区別可能に変更された初心者用設定画面を模写した位置情報通知画像の画像データ（イメージ画像データ）であることが好ましい。
【０１３４】
これにより、ユーザは、当該位置情報通知画像から、実際の他の設定画面において、選択した設定用アイコン（または熟練者向け設定用画像）に対応する熟練者向け設定用画像（または設定用アイコン）がどこの表示されているかを容易に認識することができる。
【０１３５】
さらに、対応位置情報表示処理部４４・５４は、選択した設定用アイコンの第１識別情報、または、選択した熟練者向け設定用画像の第２識別情報に対応する位置情報通知画像の画像データが他画面対応位置情報記憶部４３・５３にない場合、対応する設定用画像がが他の設定画面に存在しない旨の通知画像を表示装置３に表示させる。
【０１３６】
これにより、ユーザは、対応する設定用画像がが他の設定画面に存在しないことを容易に認識することができる。
【０１３７】
なお、上記説明では、設定用アイコンが初心者用設定画面内で一定の位置に表示されるものとして説明した。しかしながら、設定画面表示処理部４２は、各設定用アイコンを一定方向に移動させながら、順次繰り返して表示するようにしてもよい。例えば、設定画面表示処理部４２は、図３に示す設定用アイコンＩ−１を右から左に向かって移動させる。そして、設定画面表示処理部４２は、設定用アイコンＩ−１を初心者用設定画面の左端まで移動させた場合、当該設定用アイコンＩ−１を一旦初心者用設定画面から消去し、残りの設定用アイコンの全てを設定用アイコンＩ−１と同様に移動させながら表示させた後、再度設定用アイコンＩ−１を表示させる。
【０１３８】
この場合、設定画面表示処理部４２は、表示領域テーブルにおける、各設定用アイコンについての表示領域情報を、当該設定用アイコンの移動に応じて更新する。また、対応位置情報表示処理部５４は、第２管理番号に対応する対応位置通知画像とともに、当該第２管理番号に対応する第１管理番号をも他画面対応位置情報記憶部５３から読み出す。そして、対応位置情報表示処理部５４は、読み出した第１管理番号を設定画面表示処理部４２に出力する。そして、設定画面表示処理部４２は、対応位置情報表示処理部５４から第１管理番号を受けた場合、受けた第１管理番号に対応する設定用アイコンの初期位置を所定位置にする。ここで、所定位置は、対応位置通知画像と一致する位置である。これにより、ユーザは、入力装置４に設定画面の切替指示を入力し、初心者用設定画面を表示させる場合、熟練者用設定画面でポインタを重ねた熟練者向け設定用画像と同じ設定項目に対応する設定用アイコンが、ポップアップ表示された対応位置通知画像と同じ位置に存在する初心者用設定画面を見ることができる。
【０１３９】
〔実施形態２〕
本発明のホスト装置に関する他の実施形態について、図１４〜図１７に基づいて説明すれば、以下のとおりである。なお、説明の便宜上、前記実施形態１にて説明した図面と同じ機能を有する部材については、同じ符号を付記し、その説明を省略する。
【０１４０】
上記実施形態では、プリンタドライバ部１２が表示装置３に初心者用設定画面および熟練者用設定画面のうちいずれか一方を表示させるものとした。本実施形態は、初心者用設定画面および熟練者用設定画面を同時に表示させることが可能な形態である。
【０１４１】
（ホスト装置の構成）
図１４は、本実施形態のホスト装置（設定画面表示制御装置）１ａの構成と周辺装置とを示すブロック図である。図示されるように、ホスト装置１ａは、上記ホスト装置１と比較して、画面切替部１３の代わりに画面切替部１３ａを、設定画面表示処理部４２・５２の代わりに設定画面表示処理部（設定画面表示手段、位置情報表示手段）４２ａ・５２ａを、対応位置情報表示処理部４４・５４の代わりに対応位置情報表示処理部（位置情報表示手段）４４ａ・５４ａを備える点で異なる。
【０１４２】
画面切替部１３ａは、上記画面切替部１３における機能に加えて、入力装置４から全ての設定画面を表示する旨の指示を受け付けることができ、当該指示を受け付けた場合、第１画面処理部１４および第２画面処理部１５の両者に対して、「全て」を示す画面情報を出力する機能を有している。
【０１４３】
対応位置情報表示処理部４４ａは、上記対応位置情報表示処理部４４の機能に加えて、以下の機能を有するものとする。すなわち、対応位置情報表示処理部４４ａは、画面切替部１３ａから「全て」の画面情報を受けた場合、ポインタの位置に表示されている設定用アイコンを識別する第１管理番号を取得し、取得した第１管理番号に対応する第２管理番号を他画面対応位置情報記憶部４３から読み出す。さらに、対応位置情報表示処理部４４ａは、読み出した第２管理番号を付加した反転指示を設定画面表示処理部５２ａに出力する。
【０１４４】
また、対応位置情報表示処理部５４ａは、上記対応位置情報表示処理部５４の機能に加えて、以下の機能を有するものとする。すなわち、対応位置情報表示処理部５４ａは、画面切替部１３ａから「全て」の画面情報を受けた場合、ポインタの位置に表示されている熟練者向け設定用画像を識別する第２管理番号を取得し、取得した第２管理番号に対応する第１管理番号を他画面対応位置情報記憶部５３から読み出す。さらに、対応位置情報表示処理部５４ａは、読み出した第１管理番号を付加した反転指示を設定画面表示処理部４２ａに出力する。
【０１４５】
また、設定画面表示処理部４２ａは、上記設定画面表示処理部４２における機能に加えて、以下の機能を有するものとする。すなわち、設定画面表示処理部４２ａは、対応位置情報表示処理部５４ａから反転指示を受けた場合、当該反転指示に付加された第１管理番号に対応する設定用アイコンを一定時間だけ反転表示させる。ここで、反転表示とは、輝度を反転させた上で表示することであり、例えば、白地に黒の文字が表示されている場合、黒字に白の文字に反転して表示することをいう。
【０１４６】
また、設定画面表示処理部５２ａは、上記設定画面表示処理部５２における機能に加えて、以下の機能を有するものとする。すなわち、設定画面表示処理部５２ａは、対応位置情報表示処理部４４ａから反転指示を受けた場合、当該反転指示に付加された第２管理番号に対応する熟練者向け設定用画像を一定時間だけ反転表示させる。
【０１４７】
本実施形態におけるプリンタドライバ部１２の処理全体の流れは図８に示したフローチャートと同様である。ただし、Ｓ１およびＳ５において、画面情報が「全て」である場合、設定画面表示処理部４２ａが初心者用設定画面を、設定画面表示処理部５２ａが熟練者用設定画面を同時に表示させる。
【０１４８】
（対応位置情報の表示処理）
次に、本実施形態における対応位置情報の表示処理の流れについて説明する。画面切替部１３ａが「初心者」または「熟練者」を示す画面情報を出力する場合における対応位置情報の表示処理は、上記図９で示した流れと同様であるため説明を省略する。以下では、画面切替部１３ａが「全て」を示す画面情報を出力する場合における対応位置情報の表示処理の流れについて図１５に示したフローチャートを参照しながら説明する。
【０１４９】
まず、対応位置情報表示処理部４４ａ・５４ａは、ポインタが重ねられた設定用画像に対応する管理番号を取得する（Ｓ２１）。
【０１５０】
具体的には、対応位置情報表示処理部４４ａは、ポインタが初心者用設定画面の設定用アイコンに重ねられた場合に、設定画面表示処理部４２から取得した表示領域テーブルの中から、ポインタの位置を含む表示領域情報に対応する第１管理番号を読み出す。
【０１５１】
また、対応位置情報表示処理部５４ａは、ポインタが熟練者用設定画面の熟練者向け設定用画像（ここでは項目名通知画像および設定入力用画像）に重ねられた場合に、設定画面表示処理部５２から取得した表示領域テーブルの中から、ポインタの位置を含む表示領域情報に対応する第２管理番号を読み出す。
【０１５２】
次に、Ｓ２１で管理番号を取得した対応位置情報表示処理部４４ａまたは対応位置情報表示処理部５４ａは、他画面対応位置情報記憶部４３または５３が記憶する対応テーブルを参照して、Ｓ１１で取得した管理番号に対応する他画面用の管理番号が存在するか否かを判断する（Ｓ２２）。
【０１５３】
具体的には、画面情報が「初心者」である場合、対応位置情報表示処理部４４は、他画面対応位置情報記憶部４３が記憶する対応テーブルにおいて、Ｓ１１で読み出した第１管理番号に対応する第２管理番号が「なし」であるか否かに応じて、対応位置通知画像が存在するか否かを判断する。
【０１５４】
また、画面情報が「熟練者」である場合、対応位置情報表示処理部５４は、他画面対応位置情報記憶部５３が記憶する対応テーブルにおいて、Ｓ１１で読み出した第２管理番号に対応する第１管理番号が「なし」であるか否かに応じて、対応位置通知画像が存在するか否かを判断する。
【０１５５】
他画面用の管理番号が存在しない場合（Ｓ２２でＮｏ）、対応位置情報表示処理部４４ａまたは対応位置情報表示処理部５４ａは、図１０に示されるような、他の設定画面には指定された設定項目が存在しない旨の通知を表示させ（Ｓ２３）、その後処理を終了する。
【０１５６】
一方、他画面用の管理番号が存在する場合（Ｓ２２でＹｅｓ）、Ｓ２１で管理番号を取得した対応位置情報表示処理部４４ａまたは対応位置情報表示処理部５４ａは、Ｓ２１で取得した管理番号に対応する他画面用の管理番号を、他画面位置情報記憶部４３・５３から読み出し、読み出した管理番号を付加した反転指示を出力する（Ｓ２４）。
【０１５７】
具体的には、Ｓ２１で対応位置情報表示処理部４４ａが第１管理番号を取得した場合、対応位置情報表示処理部４４ａは、Ｓ２１で取得した第１管理番号に対応する第２管理番号を他画面対応位置情報記憶部４３から読み出す。そして、対応位置情報表示処理部４４ａは、読み出した第２管理番号を付加した反転指示を設定画面表示処理部５２ａに出力する。
【０１５８】
また、Ｓ２１で対応位置情報表示処理部５４ａが第２管理番号を取得した場合、対応位置情報表示処理部５４ａは、Ｓ２１で取得した第２管理番号に対応する第１管理番号を他画面対応位置情報記憶部５３から読み出す。そして、対応位置情報表示処理部５４ａは、読み出した第１管理番号を付加した反転指示を設定画面表示処理部４２ａに出力する。
【０１５９】
その後、反転指示を受けた設定画面表示処理部４２ａまたは設定画面表示処理部５２ａは、反転指示に付加された管理番号に対応する設定用画像を一定時間だけ反転表示させる（Ｓ２５）。
【０１６０】
具体的には、反転指示を受けた設定画面表示処理部５２ａは、設定画面管理テーブル記憶部５１を参照して、当該反転表示に付加された第２管理番号に対応する熟練者向け設定用画像を特定する。そして、設定画面表示処理部５２ａは、特定した熟練者向け設定用画像を一定時間だけ反転表示させる。図１６は、熟練者用設定画面において、第２管理番号「Ｂ００３」に対応する熟練者向け設定用画像Ｇ−３が反転表示された画面例を示す図である。
【０１６１】
また、反転指示を受けた設定画面表示処理部４２ａは、設定画面管理テーブル記憶部４１を参照して、当該反転表示に付加された第１管理番号に対応する設定用アイコンを特定する。そして、設定画面表示処理部４２ａは、特定した設定用アイコンを一定時間だけ反転表示させる。図１７は、初心者用設定画面において、第１管理番号「Ａ００１」に対応する設定用アイコンＩ−１が反転表示された画面例を示す図である。
【０１６２】
その後、反転指示を受けた設定画面表示処理部４２ａまたは５２ａは、反転表示を元に戻し、通常の表示にする（Ｓ２６）。
【０１６３】
このようにして、対応位置情報表示処理部４４ａ・５４ａは、同時に表示されている設定画面のうち一方の設定項目を設定するための設定用画像にポインタが重ねられた際、当該設定項目に対応し、他方の設定画面に表示されている他画面用の設定項目の設定用画像を反転表示させる。
【０１６４】
なお、上記説明では、対応位置情報表示処理部４４ａ・５４ａが反転指示を出力し、設定画面表示処理部４２ａ・５２ａが、当該反転指示に付加された識別番号に対応する設定用画像の反転処理を行うものとした。しかしながら、これに限らず、対応位置情報表示処理部４４ａ・５４ａが反転指示の代わりに表示変更指示を出力し、設定画面表示処理部４２ａ・５２ａが、当該表示変更指示に付加された管理番号に対応する設定用画像について、点滅処理、特定色（赤色など目立つ色）を着ける処理を行ってもよい。
【０１６５】
以上のように、本実施形態のホスト装置１ａは、初心者用設定画面と熟練者用設定画面を同時に表示させることができる。
【０１６６】
そして、ホスト装置１ａは、上記実施形態１と同様に、各設定用アイコンを識別する第１識別情報と、当該設定用アイコンと同じ設定項目に対応する熟練者向け設定用画像を識別する第２識別情報とを対応付けて記憶する他画面対応位置情報記憶部４３を備える。
【０１６７】
さらに、ホスト装置１ａは、入力装置４に入力された情報に従って選択した設定用アイコンの第１識別情報に対応する第２識別情報を他画面対応位置情報記憶部４３から読み出し、熟練者用設定画面において、読み出した第２識別情報に対応する熟練者向け設定用画像を、他の熟練者向け設定用画像と異なる表示形式になるように表示処理を行う対応位置情報表示処理部４４ａおよび設定画面表示処理部５２ａを備える。
【０１６８】
また、ホスト装置１ａは、上記実施形態１と同様に、各熟練者向け設定用画像を識別する第２識別情報と、当該熟練者向け設定用画像と同じ設定項目に対応する設定用アイコンを識別する第１識別情報とを対応付けて記憶する他画面対応位置情報記憶部５３を備える。
【０１６９】
さらに、ホスト装置１ａは、入力装置４に入力された情報に従って選択した熟練者向け設定用画像の第２識別情報に対応する第１識別情報を他画面対応位置情報記憶部５３から読み出し、初心者用設定画面において、読み出した第１識別情報に対応する設定用アイコンに対して、他の設定用アイコンと異なる表示形式になるように表示処理を行う対応位置情報表示処理部５４ａおよび設定画面表示処理部４２ａを備える。
【０１７０】
これにより、ユーザは、入力装置４に対して、初心者用設定画面である設定用アイコンの選択指示を入力することで、当該設定用アイコンと同じ設定項目に対応する熟練者向け設定用画像の位置を、熟練者用設定画面内で容易に認識することができる。同様に、ユーザは、入力装置４に対して、熟練者用設定画面である熟練者向け設定用画像の選択指示を入力することで、当該熟練者向け設定用画像と同じ設定項目に対応する設定用アイコンの位置を、初心者用設定画面内で容易に認識することができる。
【０１７１】
また、対応位置情報表示処理部４４ａ・５４ａは、選択した設定用画像の識別情報に対応する他の設定画面用の識別情報が他画面対応位置情報記憶部４３・５３にない場合、選択した設定用画像と同一の設定項目に対応する設定用画像が他の設定画面に存在しない旨の通知画像を表示装置３に表示させる。
【０１７２】
これにより、ユーザは、選択した設定用画像と同じ設定項目を、他の設定画面では設定できないことを認識することができる。
【０１７３】
なお、上記説明では、設定用アイコンが初心者用設定画面内で一定の位置に表示されるものとして説明した。しかしながら、設定画面表示処理部４２ａは、各設定用アイコンを一定方向に移動させながら、順次繰り返して表示するようにしてもよい。例えば、設定画面表示処理部４２ａは、図３に示す設定用アイコンＩ−１を右から左に向かって移動させる。そして、設定画面表示処理部４２ａは、設定用アイコンＩ−１を初心者用設定画面の左端まで移動させた場合、当該設定用アイコンＩ−１を一旦初心者用設定画面から消去し、残りの設定用アイコンの全てを設定用アイコンＩ−１と同様に移動させながら表示させた後、再度設定用アイコンＩ−１を表示させる。
【０１７４】
この場合、設定画面表示処理部４２ａは、表示領域テーブルにおける、各設定用アイコンについての表示領域を、当該設定用アイコンの移動に応じて更新する。また、設定画面表示処理部４２ａは、反転指示に付加された第１管理番号に対応する設定用アイコンが初心者用設定画面から消去されている場合、当該設定用アイコンを再度初心者用設定画面に表示させるまで、設定用アイコンの移動速度を通常よりも速い所定速度に変更してもよい。これにより、ユーザは、熟練者用設定画面でポインタを重ねた熟練者向け設定用画像と同じ設定項目に対応する設定用アイコンを即座に認識することができる。
【０１７５】
〔実施形態３〕
本発明のホスト装置に関する他の実施形態について、図１８〜図２３に基づいて説明すれば、以下のとおりである。なお、説明の便宜上、前記実施形態１および２にて説明した図面と同じ機能を有する部材については、同じ符号を付記し、その説明を省略する。
【０１７６】
上述したように、ある設定用アイコンと同じ設定項目の設定を促す熟練者向け設定用画像が複数存在する、もしくは、ある熟練者向け設定用画像と同じ設定項目の設定を促す設定用アイコンが複数存在する場合がある。例えば、上記実施形態１および２において、第１画面処理部１４の設定画面管理テーブル記憶部４１が記憶する第１管理番号「Ａ００３」の設定用アイコン（設定項目「中とじステープル」に対応）は、第２画面処理部１５の設定画面管理テーブル記憶部５１が記憶する第２管理番号「Ｂ００７」の熟練者向け設定用画像（設定項目「中とじ印刷」に対応）、第２管理番号「Ｂ０１２」の熟練者向け設定用画像（設定項目「とじ位置」に対応）および第２管理番号「Ｂ０１３」の熟練者向け設定用画像（設定項目「ステープル」に対応）と対応する。
【０１７７】
本実施形態は、このように、ある設定用アイコンと同じ設定項目の設定を促す熟練者向け設定用画像が複数存在する、もしくは、ある熟練者向け設定用画像と同じ設定項目の設定を促す設定用アイコンが複数存在する場合であっても、ユーザが容易に他方の複数の設定用画像の位置を認識できるものである。
【０１７８】
（ホスト装置の構成）
本実施形態のホスト装置の構成は、図１４に示した上記実施形態２のホスト装置１ａとほぼ同様である。
【０１７９】
ただし、本実施形態の他画面対応位置情報記憶部（テーブル管理部）４３は、ある設定用アイコンと同じ設定項目の設定を促す熟練者向け設定用画像が複数存在する場合、当該設定用アイコンを識別する第１管理番号と、当該熟練者向け設定用画像を識別する複数の第２管理番号と、当該熟練者向け設定用画像の各々が他の熟練者向け設定用画像と異なる色で区別された熟練者用設定画面を模写した複数の対応位置通知画像とを対応付けて記憶している。
【０１８０】
また、同様に、他画面対応位置情報記憶部（テーブル管理部）５３も、ある熟練者向け設定用画像と同じ設定項目の設定を促す設定用アイコンが複数存在する場合、当該熟練者向け設定用画像を識別する第２管理番号と、当該設定用アイコンを識別する複数の第１管理番号と、当該設定用アイコンの各々が他の設定用アイコンと異なる色で区別された初心者用設定画面を模写した複数の対応位置通知画像とを対応付けて記憶していてもよい。
【０１８１】
図１８は、本実施形態における他画面対応位置情報記憶部４３の一記憶例である。図示されるように、他画面対応位置情報記憶部４３は、設定項目「中とじステープル」の設定用アイコンに対応する第１管理番号「Ａ００３」と、当該設定用アイコンと同内容の設定項目「中とじ印刷」、「とじ位置設定」および「ステープル」の熟練者向け設定用画像の第２管理番号「Ｂ００７」「Ｂ０１２」「Ｂ０１３」と、当該熟練者向け設定用画像の各々が強調表示された熟練者用設定画面を模写した複数の対応位置通知画像とを対応付けて記憶している。
【０１８２】
また、本実施形態の対応位置情報表示処理部（位置情報表示手段）４４ａは、上記実施形態１および２の機能に加えて、画面切替部１３ａからの画面情報が「初心者」である場合、ポインタが重ねられた設定用アイコンの第１管理番号に対応する複数の対応位置置通知画像を所定時間ごとに順次表示する処理を行い、画面切替部１３ａからの画面情報が「全て」である場合、ポインタが重ねられた設定用アイコンの第１管理番号に対応する複数の第２管理番号について、各第２管理番号が付加された反転指示を所定時間ごとに設定画面表示処理部５２ａに順次出力する処理を行う機能を有する。
【０１８３】
同様に、本実施形態の対応位置情報表示処理部（位置情報表示手段）５４ａは、上記実施形態１および２の機能に加えて、画面切替部１３ａからの画面情報が「熟練者」である場合、ポインタが重ねられた熟練者向け設定用画像の第２管理番号に対応する複数の対応位置置通知画像を所定時間ごとに順次表示する処理を行い、画面切替部１３ａからの画面情報が「全て」である場合、ポインタが重ねられた設定用画像の第２管理番号に対応する複数の第１管理番号について、各第１管理番号が付加された反転指示を所定時間ごとに設定画面表示処理部４２ａに順次出力する処理を行う機能を有する。
【０１８４】
（画面情報が「初心者」または「熟練者」である場合の対応位置情報の表示処理）
次に、画面切替部１３ａからの画面情報が「初心者」または「熟練者」である場合の、本実施形態における対応位置情報の表示処理の流れを図１９に示すフローチャートを参照しながら説明する。
【０１８５】
まず、画面情報に応じて動作している対応位置情報表示処理部４４ａまたは５４ａは、上記Ｓ１１およびＳ１２の処理を行う。
【０１８６】
その後、画面情報に応じて動作している対応位置情報表示処理部４４ａまたは対応位置情報表示処理部５４ａは、Ｓ１１で取得した管理番号に対応する対応位置通知画像の中からランダムに選択した一つを他画面対応位置情報記憶部４３または５３から読み出す（Ｓ３４）。
【０１８７】
例えば、画面切替部１３が画面情報「初心者」を出力し、ポインタが第１管理番号「Ａ００３」の設定用アイコンに重ねられた場合、対応位置情報表示処理部４４ａは、他画面対応位置情報記憶部４３から、Ｓ１１で取得した第１管理番号「Ａ００３」に対応する３つの対応位置通知画像のうちランダムに選択した１つの対応位置通知画像を読み出す。
【０１８８】
次に、画面情報に応じて動作している対応位置情報表示処理部４４ａまたは対応位置情報表示処理部５４ａは、他画面対応位置情報記憶部４３または他画面対応位置情報記憶部５３から読み出した１つの対応位置通知画像を表示装置３に一定時間だけポップアップ表示させる（Ｓ３５）。
【０１８９】
次に、画面情報に応じて動作している対応位置情報表示処理部４４ａまたは対応位置情報表示処理部５４ａは、Ｓ１１で取得した管理番号に対応する全ての対応位置通知画像を表示したか否かを判断する（Ｓ３６）。
【０１９０】
全ての対応位置通知画像を表示していない場合（Ｓ３６でＮｏ）、対応位置情報表示処理部４４ａまたは対応位置情報表示処理部５４ａは、Ｓ１１で取得した管理番号に対応する対応位置通知画像のうち未表示の対応位置通知画像を他画面対応位置情報記憶部４３または他画面対応位置情報記憶部５３から読み出す（Ｓ３７）。その後、Ｓ３５の処理に戻る。
【０１９１】
一方、全ての対応位置通知画像を表示した場合（Ｓ３６でＹｅｓ）、処理を終了する。
【０１９２】
このようにして、対応位置情報表示処理部４４ａ・５４ａは、一方の設定画面で選択された設定項目に対応し、他方の設定画面に存在する複数の設定項目の設定用画像について、当該各設定用画像の位置を示す対応位置通知画像を順次表示させる。
【０１９３】
例えば、Ｓ１１で第１管理番号「Ａ００３」を取得した対応位置情報表示処理部４４ａは、図２０に示されるように、Ｓ３４で読み出した第１管理番号「Ａ００３」に対応する１つの対応位置通知画像Ｍ−１を３秒間だけポップアップ表示させたのち、先に表示したものとは別の第１管理番号「Ａ００３」に対応する対応位置通知画像Ｍ−２をポップアップ表示させる。
【０１９４】
以上のように、本実施形態のホスト装置１ａの他画面対応位置情報記憶部４３は、ある設定用アイコンと同じ設定項目に対応する熟練者向け設定用画像が複数ある場合、当該設定用アイコンの第１識別情報と、当該熟練者向け設定用画像に対応する複数の位置情報通知画像とを対応付けて記憶する。
【０１９５】
また、本実施形態の対応位置情報表示処理部４４ａは、入力された情報に従って選択した設定用アイコンの第１識別情報に対応する複数の位置情報通知画像の画像データを他画面対応位置情報記憶部４３ａから読み出した場合、読み出した複数の位置情報通知画像を順次表示させる。
【０１９６】
これにより、ユーザは、選択した設定用アイコンと同じ設定項目に対応する熟練者向け設定用画像が複数あっても、１つずつ当該熟練者向け設定用画像の位置を確認することができる。その結果、初心者用設定装置を通常使用しているユーザであっても、熟練者用設定画面において、選択した設定用アイコンと同じ設定項目について漏らすことなく全てを設定することができる。
【０１９７】
同様に、本実施形態のホスト装置１ａの他画面対応位置情報記憶部５３は、ある熟練者向け設定用画像と同じ設定項目に対応する設定用アイコンが複数ある場合、当該熟練者向け設定用画像の第２識別情報と、当該設定用アイコンに対応する複数の位置情報通知画像とを対応付けて記憶する。
【０１９８】
また、本実施形態の対応位置情報表示処理部５４ａは、入力された情報に従って選択した熟練者向け設定用画像の第２識別情報に対応する複数の位置情報通知画像の画像データを他画面対応位置情報記憶部５３から読み出した場合、読み出した複数の位置情報通知画像を順次表示させる。
【０１９９】
これにより、ユーザは、選択した熟練者向け設定用画像と同じ設定項目に対応する設定用アイコンが複数あっても、１つずつ当該設定用アイコンの位置を確認することができる。その結果、熟練者用設定画面を通常使用しているユーザであっても、初心者用設定画面において、指定した熟練者向け設定用画像と同じ設定項目について漏らすことなく全てを設定することができる。
【０２００】
（画面情報が「全て」である場合の対応位置情報の表示処理の流れ）
次に、画面切替部１３ａからの画面情報が「全て」である場合の、本実施形態における対応位置情報の表示処理の流れを図２１に示すフローチャートを参照しながら説明する。
【０２０１】
まず、対応位置情報表示処理部４４ａまたは５４ａは、上記Ｓ２１およびＳ２２の処理を行う。
【０２０２】
その後、Ｓ２１で管理番号を取得した対応位置情報表示処理部４４ａまたは対応位置情報表示処理部５４ａは、Ｓ１１で取得した管理番号に対応する他画面用の設定項目を識別する管理番号を一つだけ他画面対応位置情報記憶部４３または５３から読み出し、読み出した管理番号を付加した反転表示を、他画面用の設定画面表示処理部５２または設定画面表示処理部４２に出力する（Ｓ４４）。
【０２０３】
例えば、Ｓ２１で対応位置情報表示処理部４４ａが第１管理番号「Ａ００３」を取得した場合、対応位置情報表示処理部４４ａは、他画面対応位置情報記憶部４３から、第１管理番号「Ａ００３」に対応する３つの第２管理番号のうちランダムに選択した１つの第２管理番号（例えば、「Ｂ０１２」）を読み出す。そして、対応位置情報表示処理部４４ａは、読み出した第２管理番号を付加した反転指示を設定画面表示処理部５２に出力する。
【０２０４】
次に、反転指示を受けた設定画面表示処理部５２または設定画面表示処理部４２は、当該反転指示に付加された管理番号に対応する設定用画像の反転表示を一定時間だけ行う（Ｓ４５）。
【０２０５】
その後、反転指示を受けた設定画面表示処理部５２または設定画面表示処理部４２は、反転表示を元に戻す（Ｓ４６）。
【０２０６】
次に、Ｓ２１で管理番号を取得した対応位置情報表示処理部４４ａまたは対応位置情報表示処理部５４ａは、Ｓ２１で取得した管理番号に対応する他画面用の設定項目を識別する管理番号を全て読み出したか否かを判断する（Ｓ４７）。
【０２０７】
全ての管理番号を読み出していない場合（Ｓ４７でＮｏ）、対応位置情報表示処理部４４ａまたは対応位置情報表示処理部５４ａは、Ｓ２１で取得した管理番号に対応する他画面用の設定項目を識別する管理番号であり、かつ、読み出していない管理番号を１つだけ他画面対応位置情報記憶部４３または他画面対応位置情報記憶部５３から読み出す。そして、対応位置情報表示処理部４４ａまたは対応位置情報表示処理部５４ａは、読み出した管理番号を付加した反転指示を、他画面用の設定画面表示処理部５２ａまたは設定画面表示処理部４２ａに出力する。（Ｓ４８）。その後、Ｓ４５の処理に戻る。
【０２０８】
例えば、Ｓ２１で対応位置情報表示処理部４４ａが第１管理番号「Ａ００３」を取得し、Ｓ４４で対応位置情報表示処理部４４ａが第２管理番号「Ｂ０１２」を読み出した場合、対応位置情報表示処理部４４ａは、Ｓ４８で第１管理番号「Ａ００３」に対応し、まだ読み出していない第２管理番号「Ｂ００７」を読み出す。そして、対応位置情報表示処理部４４ａは、読み出した第２管理番号を設定画面表示処理部５２に出力する。
【０２０９】
一方、全ての管理番号を読み出した場合（Ｓ４７でＹｅｓ）、処理を終了する。
【０２１０】
このようにして、対応位置情報表示処理部４４ａ・５４ａは、一方の設定画面で選択された設定項目に対応し、他方の設定画面に存在する複数の設定項目の設定用画像について、当該各設定用画像を順次反転表示させる。
【０２１１】
以上のように、本実施形態のホスト装置１ａの他画面対応位置情報記憶部４３は、１つの設定用アイコンと同じ設定項目に対応する熟練者向け設定用画像が複数ある場合、当該設定用アイコンを識別する第１識別情報と、当該熟練者向け設定用画像を識別する複数の第２識別情報とを対応付けて記憶している。
【０２１２】
また、本実施形態の対応位置情報表示処理部４４ａおよび設定画面表示処理部５２ａは、入力された情報に従って選択した設定用アイコンの第１識別情報に対応する複数の第２識別情報を他画面対応位置情報記憶部４３から読み出した場合、読み出した第２識別情報に対応する複数の熟練者向け設定用画像に対して、他の熟練者向け設定用画像と異なる表示形式になるように変更処理（ここでは、輝度の反転処理）を順次行う。
【０２１３】
これにより、ユーザは、選択した設定用アイコンと同じ設定項目に対応する熟練者向け設定用画像が複数あっても、１つずつ当該熟練者向け設定用画像の位置を確認することができる。その結果、初心者用設定装置を通常使用しているユーザであっても、熟練者用設定画面において、上記設定用アイコンと同じ設定項目について漏らすことなく全てを設定することができる。
【０２１４】
同様に、本実施形態のホスト装置１ａの他画面対応位置情報記憶部５３は、１つの熟練者向け設定用画像と同じ設定項目に対応する設定用アイコンが複数ある場合、当該熟練者向け設定用画像を識別する第２識別情報と、当該設定用アイコンを識別する複数の第１識別情報とを対応付けて記憶している。
【０２１５】
また、本実施形態の対応位置情報表示処理部５４ａおよび設定画面表示処理部４２ａは、入力された情報に従って選択した熟練者向け設定用画像の第２識別情報に対応する複数の第１識別情報を他画面対応位置情報記憶部５３から読み出した場合、読み出した第１識別情報に対応する複数の設定用アイコンに対して、他の設定用アイコンと異なる表示形式になるように変更処理（ここでは、輝度の反転処理）を順次行う。
【０２１６】
これにより、ユーザは、選択した熟練者向け設定用画像と同じ設定項目に対応する設定用アイコンが複数あっても、１つずつ当該設定用アイコンの位置を確認することができる。その結果、熟練者用設定装置を通常使用しているユーザであっても、初心者用設定画面において、上記熟練者向け設定用画像と同じ設定項目について漏らすことなく全てを設定することができる。
【０２１７】
（変形例）
上記説明では、対応位置情報表示処理部４４ａ・５４ａが、画面情報が「初心者」「熟練者」である場合、ポインタが重ねられた設定用画像の第２管理番号に対応する複数の対応位置置通知画像をランダムに決定した順に表示する処理を行い、画面情報が「全て」である場合、ポインタが重ねられた設定用画像の第２管理番号に対応する複数の第１管理番号について、各第１管理番号が付加された反転指示をランダムに決定した順で出力する処理を行うものとした。しかしながら、対応位置情報表示処理部４４ａ・５４ａにおける、対応位置置通知画像を表示する順序、および、反転指示を出力する順序は、予め定められたものであってもよい。
【０２１８】
この場合、他画面対応位置情報記憶部４３・５３は、例えば図２２に示されるように、一つの管理番号に対応付けられた複数の他画面用の管理番号および対応位置通知画像の各々に対して、予め定められた表示順序を記憶している。
【０２１９】
そして、対応位置情報表示処理部４４ａ・５４ａは、他画面対応位置情報記憶部４３・５３が記憶する表示順序に従って、対応位置置通知画像を表示し、および、他画面用の管理番号を付加した反転指示を出力する。
【０２２０】
図２３は、画面切替部１３ａからの画面情報が「全て」である場合の対応位置情報の表示処理の流れを示すフローチャートである。図２１と異なる点は、Ｓ４４の代わりにＳ４４ａを備え、Ｓ４８の代わりにＳ４８ａを備える点である。
【０２２１】
Ｓ４４ａにおいて、Ｓ２１で管理番号を取得した対応位置情報表示処理部４４ａまたは対応位置情報表示処理部５４ａは、他画面対応位置情報記憶部４３または他画面対応位置情報記憶部５３から、Ｓ１１で取得した管理番号に対応する他画面用の設定項目を識別する管理番号のうち表示順序「１」の管理番号を読み出す。そして、対応位置情報表示処理部４４ａまたは対応位置情報表示処理部５４ａは、読み出した管理番号を付加した反転指示を、他画面用の設定画面表示処理部５２ａまたは設定画面表示処理部４２ａに出力する。
【０２２２】
また、Ｓ４８ａにおいて、対応位置情報表示処理部４４ａまたは対応位置情報表示処理部５４ａは、他画面対応位置情報記憶部４３または他画面対応位置情報記憶部５３から、Ｓ２１で取得した管理番号に対応する他画面用の設定項目を識別する管理番号であり、かつ、次の表示順序に対応する管理番号を読み出す。そして、対応位置情報表示処理部４４ａまたは対応位置情報表示処理部５４ａは、読み出した管理番号を付加した反転指示を、他画面用の設定画面表示処理部５２ａまたは設定画面表示処理部４２ａに出力する。
【０２２３】
これにより、対応位置情報表示処理部４４ａ・５４ａおよび設定画面表示処理部４２ａ・５２ａは、他画面対応位置情報記憶部４３・５３が記憶する表示順序に従って、一方の設定画面で選択された設定項目に対応し、他方の設定画面に存在する複数の設定項目の設定用画像について、当該各設定用画像を順次反転表示させる。
【０２２４】
以上のように、本変形例のホスト装置１ａの他画面対応位置情報記憶部４３は、ある設定用アイコンと同じ設定項目に対応する熟練者向け設定用画像が複数ある場合、当該設定用アイコンの第１識別情報と、当該熟練者向け設定用画像の第２識別情報、および、当該位置情報通知画像の表示順序を示す順序情報とを対応付けて記憶している。他画面対応位置情報記憶部５３も同様である。
【０２２５】
また、本変形例の対応位置情報表示処理部４４ａおよび設定画面表示処理部５２ａは、入力された情報に従って選択した設定用アイコンの第１識別情報に対応する複数の第２識別情報を他画面対応位置情報記憶部４３から読み出す場合、当該第２識別情報および当該第２識別情報に対応する順序情報を他画面対応位置情報記憶部４３から読み出し、読み出した第２識別情報に対応する複数の熟練者向け設定用画像に対して、読み出した順序情報に従って順次変更処理（ここでは、輝度の反転処理）を行う。対応位置情報表示処理部５４ａおよび設定画面表示処理部４２ａも同様である。
【０２２６】
複数の設定項目を設定する場合、設定する順序が異なると、正常に設定することができない場合がある。例えば、設定項目Ａを設定した後でなければ、設定項目Ｂを設定できない場合がある。このような場合、ユーザは、先に設定項目Ｂを設定しようとしてもできない。
【０２２７】
しかしながら、本変形例によれば、他画面対応位置情報記憶部４３・５３は、順序情報として、正常に設定することができる順序を記憶することができる。そして、該順序情報に従って、設定用画像が順次表示変更される。これにより、ユーザは、通常使用していない設定画面でも正常に設定を行うことができる。第１設定画面を通常使用しているユーザは、表示された順序で第２設定用画像により設定を行うことで、第２設定画面でも正常に設定を行うことができる。
【０２２８】
なお、画面情報が「初心者」または「熟練者」の場合、対応位置情報表示処理部４４ａ・５４ａは、表示順序に従って、位置情報通知画像を順次表示すればよい。
【０２２９】
つまり、本変形例のホスト装置１ａの他画面対応位置情報記憶部４３は、ある設定用アイコンと同じ設定項目に対応する熟練者向け設定用画像が複数ある場合、当該設定用アイコンの第１識別情報と、当該熟練者向け設定用画像に対応する複数の位置情報通知画像、および、当該位置情報通知画像の表示順序を示す順序情報とを対応付けて記憶している。他画面対応位置情報記憶部５３も同様である。
【０２３０】
また、本変形例の対応位置情報表示処理部４４ａは、入力された情報に従って選択した設定用アイコンの第１識別情報に対応する複数の位置情報通知画像の画像データを他画面対応位置情報記憶部４３から読み出す場合、当該位置情報通知画像の画像データおよび当該位置情報通知画像に対応する順序情報を他画面対応位置情報記憶部４３から読み出し、読み出した各位置情報通知画像を該順序情報に従って順次表示させる。対応位置情報表示処理部５４ａも同様である。
【０２３１】
本変形例によれば、他画面対応位置情報記憶部４３・５３は、順序情報として、正常に設定することができる順序を記憶することができる。そして、対応位置情報表示処理部４４ａ・５４ａは、該順序情報に従って位置情報通知画像を順次表示させる。これにより、ユーザは、通常使用していない設定画面でも正常に設定を行うことができる。
【０２３２】
なお、上記各実施形態では、初心者用設定画面において設定用アイコンが選択された場合には、当該設定用アイコンと同じ設定項目に対応する熟練者向け設定用画像の位置を通知し、熟練者用設定画面において熟練者向け設定用画像が選択された場合には、当該熟練者向け設定用画像と同じ設定項目に対応する設定用アイコンの位置を通知するものとした。
【０２３３】
しかしながら、初心者用設定画面において設定用アイコンが選択された場合にのみ、当該設定用アイコンと同じ設定項目に対応する熟練者向け設定用画像の位置を通知する構成であってもよい。
【０２３４】
例えば、熟練者用設定画面を通常使用している熟練者が初心者用設定画面を使用することが想定されない場合、熟練者向け設定用画像と同じ設定項目に対応する設定用アイコンの位置を通知する必要がない。
【０２３５】
よって、この場合には、第１画面処理部１４のみが他画面対応位置情報記憶部４３および対応位置情報表示処理部４４・４４ａを備えていればよく、第２画面処理部１５は、他画面対応位置情報記憶部５３および対応位置情報表示処理部５４・５４ａを備えていなくてもよい。
【０２３６】
また、上記対応位置情報表示処理部４４・４４ａ・５４・５４ａは、ユーザからの起動指示に応じて、動作を開始してもよい。これによれば、ユーザは、他方の設定画面における設定用画像の位置を知りたいときにのみ、起動指示を入力すればよい。
【０２３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２３８】
最後に、ホスト装置１・１ａの各ブロック、特に設定画面表示処理部４２・４２ａ・５２・５２ａおよび対応位置情報表示処理部４４・４４ａ・５４・５４ａは、ハードウェアロジックによって構成してもよいし、次のようにＣＰＵを用いてソフトウェアによって実現してもよい。
【０２３９】
すなわち、ホスト装置１・１ａは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるホスト装置１・１ａの制御プログラムのプログラムコード（実行形式プログラム、中間コードプログラム、ソースプログラム）をコンピュータで読み取り可能に記録した記録媒体を、上記ホスト装置１・１ａに供給し、そのコンピュータ（またはＣＰＵやＭＰＵ）が記録媒体に記録されているプログラムコードを読み出し実行することによっても、達成可能である。
【０２４０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２４１】
また、ホスト装置１・１ａを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２４２】
本発明は、例えば、プリンタドライバを備えたパーソナルコンピュータに適用できる。
【図面の簡単な説明】
【０２４３】
【図１】実施形態１に係るホスト装置の内部構成およびホスト装置の周辺装置を示すブロック図である。
【図２】第１画面処理部の管理テーブル記憶部が記憶する管理テーブルの一例を示す図である。
【図３】第１画面処理部の設定画面表示処理部が表示させる初心者用設定画面の一例を示す図である。
【図４】第２画面処理部の管理テーブル記憶部が記憶する管理テーブルの一例を示す図である。
【図５】第２画面処理部の設定画面表示処理部が表示させる熟練者用設定画面の一例を示す図である。
【図６】第１画面処理部の他画面対応位置情報記憶部における一記憶例を示す図である。
【図７】第２画面処理部の他画面対応位置情報記憶部における一記憶例を示す図である。
【図８】プリンタドライバ部の処理全体の流れを示すフローチャートである。
【図９】対応位置情報の表示処理の流れを示すフローチャートである。
【図１０】対応する設定項目の設定用画像が存在しない旨を通知する画面例を示す図である。
【図１１】初心者用設定画面において対応位置通知画像がポップアップ表示された際の画面例を示す図である。
【図１２】熟練者用設定画面において対応位置通知画像がポップアップ表示された際の画面例を示す図である。
【図１３】表示領域テーブルの一例を示す図であり、（ａ）は初心者用設定画面における表示領域テーブルを、（ｂ）は熟練者用設定画面における表示領域テーブルを示す。
【図１４】実施形態２に係るホスト装置の内部構成およびホスト装置の周辺装置を示すブロック図である。
【図１５】実施形態２における対応位置情報の表示処理の流れを示すフローチャートである。
【図１６】設定用画像が反転表示されたときの熟練者用設定画面例を示す図である。
【図１７】設定用画像が反転表示されたときの初心者用設定画面例を示す図である。
【図１８】実施形態３における第１画面処理部の対応位置情報記憶部の一記憶例を示す図である。
【図１９】実施形態３における、画面情報が「初心者」「熟練者」である場合の対応位置情報の表示処理を示すフローチャートである。
【図２０】実施形態３における対応位置通知画像を表示するときの画面例を示す図である。
【図２１】実施形態３における、画面情報が「全て」である場合の対応位置情報の表示処理を示すフローチャートである。
【図２２】実施形態３の変形例における第１画面処理部の対応位置情報記憶部の一記憶例を示す図である。
【図２３】実施形態３の変形例における、画面情報が「全て」である場合の対応位置情報の表示処理を示すフローチャートである。
【符号の説明】
【０２４４】
１・１ａ  ホスト装置（設定画面表示制御装置）
２  プリンタ（処理装置）
３  表示装置
４  入力装置
１１  アプリケーション部
１２  プリンタドライバ部
１３  画面切替部
１４  第１画面処理部
１５  第２画面処理部
１６  設定情報格納部
１７  印刷要求部
４１  設定画面管理テーブル記憶部
４２  設定画面表示処理部（設定画面表示手段）
４２ａ  設定画面表示処理部（設定画面表示手段、位置情報表示手段）
４３  他画面対応位置情報記憶部（テーブル管理部）
４４・４４ａ  対応位置情報表示処理部（位置情報表示手段）
４５  設定処理部
５１  設定画面管理テーブル記憶部
５２  設定画面表示処理部（設定画面表示手段）
５２ａ  設定画面表示処理部（設定画面表示手段、位置情報表示手段）
５３  他画面対応位置情報記憶部（テーブル管理部）
５４・５４ａ  対応位置情報表示処理部（位置情報表示手段）
５５  設定処理部
【図１】
0004408108.tif 000002
【図２】
0004408108.tif 000003
【図３】
0004408108.tif 000004
【図４】
0004408108.tif 000005
【図５】
0004408108.tif 000006
【図６】
0004408108.tif 000007
【図７】
0004408108.tif 000008
【図８】
0004408108.tif 000009
【図９】
0004408108.tif 000010
【図１０】
0004408108.tif 000011
【図１１】
0004408108.tif 000012
【図１２】
0004408108.tif 000013
【図１３】
0004408108.tif 000014
【図１４】
0004408108.tif 000015
【図１５】
0004408108.tif 000016
【図１６】
0004408108.tif 000017
【図１７】
0004408108.tif 000018
【図１８】
0004408108.tif 000019
【図１９】
0004408108.tif 000020
【図２０】
0004408108.tif 000021
【図２１】
0004408108.tif 000022
【図２２】
0004408108.tif 000023
【図２３】
0004408108.tif 000024